(57)【要約】  中継装置は、受信装置の番組の視聴状態を判定する視聴状態判定部と、演出装置の番組に関連する演出動作のための、コマンド情報と付加データを取得する取得部と、視聴状態判定部の判定結果に基づいて、コマンド情報と付加データを演出装置に送信するか否かを決定する連動制御部で構成される。
2015083299.tif 000002
【特許請求の範囲】
【請求項１】
受信装置の番組の視聴状態を判定する視聴状態判定部と、
演出装置の前記番組に関連する演出動作のための、コマンド情報と付加データを取得する取得部と、
前記視聴状態判定部の判定結果に基づいて、前記コマンド情報と前記付加データを前記演出装置に送信するか否かを決定する連動制御部と、を備える、
中継装置。
【請求項２】
前記連動制御部は、前記視聴状態判定部の判定結果が、番組を視聴中である場合に、前記コマンド情報と前記付加データを前記演出装置に送信する、
請求項１記載の中継装置。
【請求項３】
前記視聴状態判定部の判定は、前記受信装置から出力される番組情報を受信することによる判定、前記受信装置から出力される音声による判定、前記受信装置から出力される映像による判定のうち少なくとも１つである、
請求項１記載の中継装置。
【請求項４】
前記視聴状態判定部の判定結果を視聴実績として管理する管理部をさらに備え、
前記取得部は、前記視聴実績に応じて、取得する前記コマンド情報と前記付加データが変更される、
請求項１記載の中継装置。
【請求項５】
前記演出装置から前記番組に関連する演出動作実績を受信し、演出動作実績として管理する管理部をさらに備え、
前記取得部は、前記演出動作実績に応じて、取得する前記コマンド情報と前記付加データが変更される、
請求項１記載の中継装置。
【請求項６】
前記取得部は、前記視聴状態判定部の判定結果である視聴実績または前記演出装置から受信する前記番組に関連する演出動作実績に基づいて、特典を取得する、
請求項１記載の中継装置。
【請求項７】
前記取得部が取得する特典は、前記番組に関連する特典と前記番組コンテンツを制作する事業者に関する特典と前記演出装置を製作するメーカに関する特典のうちの少なくとも１つである、
請求項６記載の中継装置。
【請求項８】
配信装置と受信装置と中継装置と演出装置とからなる連動システムであって、
前記配信装置は、
番組コンテンツを配信する番組配信部と、
前記番組コンテンツに関連する、前記演出装置の演出動作のためのコマンド情報を送信するコマンド配信部と、
前記コマンド情報に関連する付加データを配信する付加データ配信部と、を備え、
前記受信装置は、
前記番組コンテンツを受信する受信部と、
番組視聴状態を送信する視聴状態通知部と、を備え、
前記中継装置は、
前記受信装置の番組視聴状態を判定する視聴状態判定部と、
前記演出装置の前記番組に関連する演出動作のためのコマンド情報と付加データとを取得する取得部と、
前記視聴状態判定部の判定結果に基づいて、前記コマンド情報と前記付加データとを前記演出装置に送信するか否かを決定する連動制御部と、を備え、
前記演出装置は、
前記コマンド情報と前記付加データとを受信し、実行するコマンド制御部と、を備える、
連動システム。
【請求項９】
番組コンテンツを配信する番組配信部と、
前記番組コンテンツに関連するコマンド情報を送信するコマンド配信部と、
前記コマンド情報に含まれるコマンドに関連する付加データを配信する付加データ配信部と、を備え、
前記コマンド配信部は、中継装置から受信した受信装置の視聴実績または演出装置の前記番組コンテンツに関連する演出動作実績に基づいて、前記中継装置に送信する前記コマンド情報を変更する、
配信装置。
【請求項１０】
受信装置の番組視聴状態を判定し、
演出装置の前記番組に関連する演出動作のためのコマンド情報と付加データを取得し、
前記視聴状態の判定結果に基づいて、前記コマンド情報と前記付加データを演出装置に送信するか否かを決定する、
中継装置の処理方法。
【請求項１１】
受信装置の番組の視聴状態を判定すること、
演出装置の前記番組に関連する演出動作のためのコマンド情報と付加データを取得すること、
前記視聴状態の判定結果に基づいて、前記コマンド情報と前記付加データを演出装置に送信するか否かを決定すること、をコンピュータに実行させるためのプログラム。
【発明の詳細な説明】
【技術分野】
【０００１】
本開示は、番組コンテンツの視聴実績に応じてインセンティブを与えながら演出装置を連動動作可能な中継装置、連動システム、配信装置、中継装置の処理方法に関する。
【背景技術】
【０００２】
放送中の番組にあわせて電子音楽装置を連動動作させる構成が開示されている（例えば、特許文献１参照）。
【先行技術文献】
【特許文献】
【０００３】
【特許文献１】特許第５０１２０９７号公報
【発明の概要】
【０００４】
本開示にかかる連動システムは、配信装置と受信装置と中継装置と演出装置とからなる連動システムであって、配信装置は、番組コンテンツを配信する番組配信部と、番組コンテンツに関連する、演出装置の演出動作のためのコマンド情報を送信するコマンド配信部と、コマンド情報に関連する付加データを配信する付加データ配信部とを備え、受信装置は、番組コンテンツを受信する受信部と、番組視聴状態を送信する視聴状態通知部とを備え、中継装置は、受信装置の番組視聴状態を判定する視聴状態判定部と、演出装置の番組に関連する演出動作のためのコマンド情報と付加データとを取得する取得部と、視聴状態判定部の判定結果に基づいて、コマンド情報と付加データとを演出装置に送信するか否かを決定する連動制御部とを備え、演出装置は、コマンド情報と付加データとを受信し、実行するコマンド制御部とを備える。
【０００５】
この構成により、本開示にかかる連動システムは、番組の視聴状態に基づいて演出装置の演出動作をするか否かを変化させることができ、ユーザの番組視聴を促進できる。
【図面の簡単な説明】
【０００６】
【図１】図１は、実施の形態１にかかる連動システム全体の構成図である。
【図２】図２は、実施の形態１にかかる連動システムの全体のシーケンスを説明する図である。
【図３】図３は、実施の形態１にかかる受信装置の動作を説明するフローチャートである。
【図４Ａ】図４Ａは、実施の形態１にかかる番組情報の一例を示す図である。
【図４Ｂ】図４Ｂは、実施の形態１にかかる番組情報の別の一例を示す図である。
【図５】図５は、実施の形態１にかかる中継装置の動作を説明するフローチャートである。
【図６Ａ】図６Ａは、実施の形態１にかかる視聴実績の一例を示す図である。
【図６Ｂ】図６Ｂは、実施の形態１にかかる視聴実績の別の一例を示す図である。
【図７Ａ】図７Ａは、実施の形態１にかかるコマンド情報の一例を示す図である。
【図７Ｂ】図７Ｂは、実施の形態１にかかるコマンド情報の別の一例を示す図である。
【図８】図８は、実施の形態１にかかる演出動作実績の一例を示す図である。
【図９】図９は、実施の形態１にかかる演出装置の動作を説明するフローチャートである。
【図１０】図１０は、実施の形態１にかかる別の連動システム全体の構成図である。
【図１１】図１１は、実施の形態１にかかる別の受信装置の動作を説明するフローチャートである。
【図１２】図１２は、実施の形態２にかかる連動システム全体の構成図である。
【図１３】図１３は、実施の形態２にかかる連動システムの全体のシーケンスを説明する図である。
【図１４】図１４は、実施の形態２にかかる受信装置の動作を説明するフローチャートである。
【図１５】図１５は、実施の形態２にかかる中継装置の動作を説明するフローチャートである。
【図１６Ａ】図１６Ａは、実施の形態２にかかる視聴実績と演出動作実績の一例を示す図である。
【図１６Ｂ】図１６Ｂは、実施の形態２にかかる視聴実績と演出動作実績の別の一例を示す図である。
【図１７】図１７は、実施の形態２にかかる特典取得のシーケンスを説明する図である。
【図１８】図１８は、実施の形態２にかかる特典取得のユーザインタフェースを説明する図である。
【発明を実施するための形態】
【０００７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００８】
なお、添付図面および以下の説明は、当業者が本開示を十分に理解するために、提供されるのであって、これらにより特許請求の範囲に記載の主題を限定することは意図されていない。
【０００９】
（実施の形態１）
以下、図１〜１１を用いて、実施の形態１について説明する。
【００１０】
［１−１．構成］
図１は、実施の形態１にかかる連動システム全体の構成図である。
【００１１】
連動システム１００は、配信装置１０００と受信装置１１００と中継装置１２００と演出装置１３００で構成される。
【００１２】
配信装置１０００は、番組配信部１００１とコマンド配信部１００２と、付加データ配信部１００３で構成される。
【００１３】
番組配信部１００１は、符号化された映像および音声からなる番組コンテンツ１０１１やＨＴＭＬ（Ｈｙｐｅｒ  Ｔｅｘｔ  Ｍａｒｋｕｐ  Ｌａｎｇｕａｇｅ）形式やＢＭＬ（Ｂｒｏａｄｃａｓｔ  Ｍａｒｋｕｐ  Ｌａｎｇｕａｇｅ）形式で記述された、番組コンテンツ１０１１に関連する関連コンテンツ１０１２を受信装置１１００に向けて配信する。
【００１４】
コマンド配信部１００２は、中継装置１２００にコマンド情報１０１３を配信する。コマンド情報１０１３は、演出装置１３００が連動動作するために必要なコマンド等の情報である。
【００１５】
付加データ配信部１００３は、中継装置１２００の要求に応じて付加データ１０１４を配信する。付加データ１０１４は、ＪＰＥＧ（Ｊｏｉｎｔ  Ｐｈｏｔｏｇｒａｐｈｉｃ  Ｅｘｐｅｒｔｓ  Ｇｒｏｕｐ）方式やＰＮＧ（Ｐｏｒｔａｂｌｅ  Ｎｅｔｗｏｒｋ  Ｇｒａｐｈｉｃｓ）形式などの静止画ファイルや、ＱｕｉｃｋＴｉｍｅ（登録商標）の動画像のファイル形式であるＭＯＶ形式やＴＳ（Ｔｒａｎｓｐｏｒｔ  Ｓｔｒｅａｍ）形式の映像ストリームファイルや、ＡＡＣ（Ａｄｖａｎｃｅｄ  Ａｕｄｉｏ  Ｃｏｄｉｎｇ）形式やＭＰ３（ＭＰＥＧ  Ａｕｄｉｏ  Ｌａｙｅｒ−３）形式等の音声ファイルであり、演出装置１３００においてコマンド情報１０１３のコマンドを実行する時に参照するデータである。
【００１６】
配信装置１０００は、放送波とＩＰ通信で受信装置１１００及び中継装置１２００と接続する。
【００１７】
受信装置１１００は、例えばＴＶ受信機である。受信装置１１００は、受信部１１０１とデコード部１１０２と映像出力部１１０３と音声出力部１１０４と視聴状態通知部１１０５で構成される。
【００１８】
受信部１１０１は、番組コンテンツ１０１１と関連コンテンツ１０１２を配信装置１０００から受信する。
【００１９】
デコード部１１０２は、受信部１１０１で受信した番組コンテンツ１０１１をデコードして映像データと音声データとして出力する。
【００２０】
映像出力部１１０３は、デコード部１１０２でデコードされた映像データを映像として出力する。
【００２１】
音声出力部１１０４は、デコード部１１０２でデコードされた音声データを音声として出力する。
【００２２】
視聴状態通知部１１０５は、受信部１１０１で受信した関連コンテンツ１０１２を読み込み、関連コンテンツ１０１２に記載されている番組情報を取得して中継装置１２００へ送信する。なお、本実施の形態において、関連コンテンツ１０１２はＨＴＭＬ形式で記述されているコンテンツとし、視聴状態通知部１１０５はＨＴＭＬブラウザとし、受信装置１１００と中継装置１２００はＩＰ（Ｉｎｔｅｒｎｅｔ  Ｐｒｏｔｏｃｏｌ）通信で接続するものとして説明する。
【００２３】
中継装置１２００は、例えばスマートフォンやタブレット端末などである。中継装置１２００は、視聴状態判定部１２０１と視聴実績管理部１２０２と取得部１２０３と蓄積部１２０４と連動制御部１２０５と接続部１２０６と連動実績管理部１２０７で構成される。
【００２４】
視聴状態判定部１２０１は、受信装置１１００の視聴状態通知部１１０５から受信する番組情報を受信し、受信した番組情報から視聴状態を判定する。判定結果を取得部１２０３と視聴実績管理部１２０２へ出力する。
【００２５】
視聴実績管理部１２０２は、視聴状態の判定結果に基づいて視聴中の番組を特定し、番組の視聴実績を管理する。
【００２６】
取得部１２０３は、視聴状態の判定結果に基づいて、視聴中の番組に対して演出装置１３００の連動動作に必要なコマンド情報１０１３及び付加データ１０１４を、それぞれ配信装置１０００のコマンド配信部１００２と付加データ配信部１００３から受信する。
【００２７】
蓄積部１２０４は、受信したコマンド情報１０１３と付加データ１０１４を蓄積する。
【００２８】
連動制御部１２０５は、演出装置１３００の連動動作の実行を制御し、演出装置１３００へ連動動作のためのコマンドを発行する。
【００２９】
接続部１２０６は、演出装置１３００と接続を確立し、演出装置１３００の連動動作のためのコマンドと、コマンドに対応した付加データ１０１４の送信を行い、演出装置１３００から演出動作実績を受信する。ここで、中継装置１２００と演出装置１３００の通信手段は限定しない。例えばＢｌｕｅｔｏｏｔｈ（登録商標）やＷｉ−Ｆｉ（登録商標）（Ｗｉｒｅｌｅｓｓ  Ｆｉｄｅｌｉｔｙ）のような無線通信方式で接続されてもよいし、ＵＳＢ（Ｕｎｉｖｅｒｓａｌ  Ｓｅｒｉａｌ  Ｂｕｓ）やシリアルバスケーブルによって有線接続されていてもよい。
【００３０】
連動実績管理部１２０７は、演出装置１３００から受信した演出動作実績を管理する。
【００３１】
演出装置１３００は、例えば番組コンテンツ１０１１に関連した玩具などであり、より具体的には、番組のヒーローまたはヒロインが身に付ける小道具や武器などを模した玩具である。そのため演出装置１３００は、例えば音声を出力するためのスピーカや映像を出力するための小型ディスプレイや発光の演出を実現する発光部やモータによって駆動される可動部などを備えている。
【００３２】
演出装置１３００は、接続部１３０１とコマンド制御部１３０２と蓄積部１３０３と音声出力部１３０４と映像出力部１３０５とＬＥＤ１３０６とモータ１３０７で構成される。
【００３３】
接続部１３０１は、中継装置１２００と接続してコマンド及び付加データ１０１４を受信し、演出動作実績を送信する。
【００３４】
コマンド制御部１３０２は、接続部１３０１が受信したコマンドの実行を制御する。
【００３５】
蓄積部１３０３は、コマンドの実行時に使用する付加データ１０１４を蓄積する。
【００３６】
音声出力部１３０４と映像出力部１３０５とＬＥＤ１３０６とモータ１３０７は、コマンド制御部１３０２によって制御され、コマンド実行時の連動動作で映像を出力する場合は映像出力部１３０５に出力し、音声を出力する場合は音声出力部１３０４に出力し、発光させる場合はＬＥＤ１３０６に出力し、振動等の物理的な出力の場合はモータ１３０７に出力される。
【００３７】
なお、音声出力部１３０４、映像出力部１３０５、ＬＥＤ１３０６と、モータ１３０７は本実施の形態の一例であり、必須の構成要素ではなく、またソフトウエアアプリケーションを備えていてもよい。
【００３８】
［１−２．動作］
以上のように構成された連動システム１００について、その動作を以下に説明する。
【００３９】
［１−２−１．連動システムの全体のシーケンス］
図２は、本実施の形態の連動システムの全体のシーケンスを説明する図である。
【００４０】
（Ｓ０１）配信装置１０００は、放送する番組コンテンツ１０１１、関連コンテンツ１０１２、コマンド情報１０１３、付加データ１０１４を準備し、配信を開始する。例えば、番組コンテンツ１０１１は、放送サーバから放送波で配信する。関連コンテンツ１０１２は、ＨＴＭＬ形式で記載されているコンテンツであるので、ＷＥＢサーバからＩＰ通信で配信する。それぞれの配信は番組配信部１００１で行う。また、コマンド情報１０１３と付加データ１０１４はＷＥＢサーバに準備する。
【００４１】
（Ｓ０２）受信装置１１００は、配信装置１０００が配信する番組コンテンツ１０１１を受信部１１０１で受信する。
【００４２】
（Ｓ０３）受信した番組コンテンツ１０１１はデコード部１１０２でデコードし、映像データと音声データとして出力する。映像データは映像出力部１１０３に出力する。音声データは音声出力部１１０４に出力する。
【００４３】
（Ｓ０４）受信装置１１００は、番組コンテンツ１０１１の受信と同時に、配信装置１０００が配信する関連コンテンツ１０１２を受信する。
【００４４】
（Ｓ０５）受信した関連コンテンツ１０１２は、ＨＴＭＬブラウザを利用して表示する。
【００４５】
（Ｓ０６）番組コンテンツ１０１１と関連コンテンツ１０１２を受信すると、受信装置１１００の視聴状態通知部１１０５は、中継装置１２００の視聴状態判定部１２０１へ番組情報を通知する。番組情報の通知は、番組視聴中、すなわち、番組コンテンツ１０１１と関連コンテンツ１０１２を受信している間は、所定のタイミングで定期的に通知する。
【００４６】
（Ｓ０７）中継装置１２００の視聴状態判定部１２０１は、番組情報の通知を受信装置１１００の視聴状態通知部１１０５から受信すると、視聴している番組が何であるか、その番組に対応する連動動作があるかどうかを判定する。
【００４７】
（Ｓ０８）取得部１２０３は、視聴状態判定部１２０１の判定結果が、連動動作があると判断した場合は、配信装置１０００へ、視聴中の番組を特定するため、番組情報を通知する。
【００４８】
（Ｓ０９）配信装置１０００のコマンド配信部１００２は、取得部１２０３へコマンド情報１０１３を送付する。
【００４９】
（Ｓ１０）また、配信装置１０００の付加データ配信部１００３は、取得部１２０３へ付加データ１０１４を送付する。
【００５０】
（Ｓ１１）次に中継装置１２００は、受信したコマンド情報１０１３から接続可能な演出装置１３００を特定し、演出装置１３００を検索し、接続する。
【００５１】
（Ｓ１２）演出装置１３００との接続が完了すると、演出装置１３００へ送付するコマンドを、コマンド情報１０１３から取得し、コマンド実行時間にコマンドを実行できるようにタイマ設定等を行う。実行時間が近づくと、演出装置１３００に対してコマンドと対応する付加データ１０１４を、接続部１２０６から発行する。
【００５２】
（Ｓ１３）演出装置１３００の接続部１３０１は、中継装置１２００からコマンドと付加データ１０１４を受信すると、コマンド制御部１３０２は、そのコマンドを実行する。
【００５３】
（Ｓ１４）コマンドを実行した実績である演出動作実績の通知を接続部１３０１から中継装置１２００に送付する。
【００５４】
（Ｓ１５）演出動作実績を受信した中継装置１２００の接続部１２０６は、その実績を連動実績管理部１２０７で管理する。
【００５５】
なお、中継装置１２００の視聴状態判定部１２０１は、受信装置１１００の視聴状態通知部１１０５から通知される情報が所定時間届かずタイムアウトすると、演出装置１３００で実行しているコマンドの設定を解除する。
【００５６】
次に受信装置１１００、中継装置１２００、演出装置１３００におけるそれぞれの動作の詳細を説明する。
【００５７】
［１−２−２．受信装置の動作］
図３は、受信装置１１００の動作を説明するフローチャートである。
【００５８】
（Ｓ３００１）受信装置１１００は、受信部１１０１で配信装置１０００の番組配信部１００１から番組コンテンツ１０１１を受信する。
【００５９】
（Ｓ３００２）受信した番組コンテンツ１０１１をデコード部１１０２でデコードして、映像データと音声データを得る。
【００６０】
（Ｓ３００３）映像データは、映像出力部１１０３から出力する。音声データは音声出力部１１０４から出力する。
【００６１】
（Ｓ３００４）受信装置１１００は、受信部１１０１で配信装置１０００の番組配信部１００１から関連コンテンツ１０１２を受信する。
【００６２】
（Ｓ３００５）受信した関連コンテンツ１０１２はＨＴＭＬ形式で記載されているコンテンツであるので、ＨＴＭＬブラウザを起動する。
【００６３】
（Ｓ３００６）起動したＨＴＭＬブラウザに関連コンテンツ１０１２を表示する。
【００６４】
（Ｓ３００７）関連コンテンツ１０１２は、ＨＴＭＬ形式で記載されているコンテンツであり、受信している番組の番組情報を中継装置１２００へ送付するためのスクリプトがプログラミングされている。このスクリプトに従って、受信装置１１００の視聴状態通知部１１０５は、中継装置１２００の視聴状態判定部１２０１と接続する。
【００６５】
（Ｓ３００８）さらに、このスクリプトに従って、視聴状態通知部１１０５から視聴状態判定部１２０１へ所定のタイミングで番組情報を送信する。
【００６６】
図４Ａは、番組情報の一例を示す図である。番組情報は、視聴中の番組を識別するための番組ＩＤと、番組のシリーズ物である場合に何話目かを示すエピソードＩＤと、現在視聴している番組の視聴時間と、連動動作を行う演出装置１３００を特定する演出ＩＤと、演出装置１３００を接続するための通信方式で構成される。図４Ａの番組情報の一例では、番組ＩＤは「５１８−１２３４１２」であり、エピソードＩＤは「３」で３話目であり、視聴時間は「００：０１：２３」で視聴時間が１分２３秒であることを示し、演出ＩＤは「ＴｒａｎｓｆｏｒｍＳｗｏｒｄ」であり、演出装置１３００を接続するための通信方式は、「Ｂｌｕｅｔｏｏｔｈ（登録商標）」であり、さらに、機器接続のための接続プロフェイルは「ＧＥＯＰ（Ｇｅｎｅｒｉｃ  Ｏｂｊｅｃｔ  Ｅｘｃｈａｎｇｅ  Ｐｒｏｆｉｌｅ）」であることを示している。
【００６７】
なお、視聴時間は、図４Ａの番組情報の一例では視聴している時間としたが、視聴している時刻を示してもよい。
【００６８】
Ｓ３００１からＳ３００８の動作は番組の視聴開始から視聴終了まで繰り返し実施される。
【００６９】
［１−２−３．中継装置の動作］
次に、中継装置１２００の動作を説明する。図５は、中継装置１２００の動作を説明するフローチャートである。ここでは、視聴中の番組において、演出装置１３００の連動動作がある、として説明を行う。
【００７０】
（Ｓ５００１）中継装置１２００の視聴状態判定部１２０１は、番組情報を受信すると番組情報を視聴実績管理部１２０２へ通知する。視聴実績管理部１２０２は、受け取った番組情報に基づいて、視聴実績管理部１２０２で管理されている視聴実績を更新する。図６Ａは、視聴実績の一例を示す図である。視聴実績は、視聴中の番組を識別するための番組ＩＤと、番組ＩＤ毎の視聴回数と、番組ＩＤ毎の総視聴時間と、番組のシリーズ物である場合に何話目かを示すエピソードＩＤと、エピソードＩＤ毎の視聴時間で構成される。
【００７１】
図４Ａの番組情報の一例では、番組ＩＤは「５１８−１２３４１２」であり、エピソードＩＤは「３」で３話目であり、視聴時間は「００：０１：２３」であるので、視聴実績管理部１２０２が図４Ａの番組情報の一例を受け取ると、図６Ａの視聴実績の一例のように視聴実績を、番組ＩＤが「５１８−１２３４１２」でエピソードＩＤが「３」の視聴時間が現在の時刻と視聴時間から「２０１３．１０．２５  ９：００：００〜９：０１：２３」と、更新する。
【００７２】
さらに、図４Ｂは、番組情報の別の一例であり、図４Ａの番組情報の通知の後、次の番組情報として通知される番組情報であるとする。図４Ｂにおいて、図４Ａの番組情報と異なる点は、視聴時間が「００：０５：２３」である。図４Ｂの番組情報を受け取った視聴実績管理部１２０２は、視聴実績を更新する。図６Ｂは視聴実績の別の一例である。図６Ｂにおいて、図６Ａの視聴実績に対し、番組ＩＤが「５１８−１２３４１２」でエピソードＩＤが「３」の視聴時間が「２０１３．１０．２５  ９：００：００〜９：０５：２３」に更新される。
【００７３】
（Ｓ５００２）受信した番組情報が、現在視聴中の番組の視聴を開始してから初めての通知か否かを判定する。初めての通知である場合（ＹＥＳ）、Ｓ５００３へ進み、初めての通知でない場合（ＮＯ）、次の番組情報の受信を待つ。
【００７４】
（Ｓ５００３）視聴状態判定部１２０１は、番組情報を取得部１２０３へ通知する。取得部１２０３は、配信装置１０００のコマンド配信部１００２へ番組ＩＤとエピソードＩＤを通知し、コマンド情報１０１３の取得要求を行う。
【００７５】
（Ｓ５００４）コマンド配信部１００２は通知を受けた番組ＩＤとエピソードＩＤから対応するコマンド情報１０１３を送信し、取得部１２０３はこのコマンド情報１０１３を受信する。
【００７６】
図７Ａは、コマンド情報の一例を示す図である。コマンド情報１０１３は、実行開始時間と、コマンドと、付加データのＵＲＬで構成される。１つのコマンドに対して付加データは無くてもよいし、１つでも２つであってもよい。実行開始時間は、番組開始からの経過時間を示している。図７Ａのコマンド情報の一例では、コマンドは７つある。１つめのコマンドは、実行開始時間「００：００：００」、コマンド「Ｐｌａｙ＿Ｓｏｕｎｄ３２４」、付加データのＵＲＬ「ｈｔｔｐ：／／ｐａｎａｓｏｎｉｃ．ｊｐ／Ｏｐｅｎｉｎｇ．ｍｐ３」であり、２つめのコマンドは、実行開始時間「００：００：００」、コマンド「ＬＥＤ＿Ａｌｌ＿Ｆｌａｓｈ」、付加データは「ＮＵＬＬ」なので「無し」であり、３つめのコマンドは、実行開始時間「００：０１：００」、コマンド「Ｄｉｓｐｌａｙ＿Ｉｍａｇｅ」、付加データのＵＲＬ「ｈｔｔｐ：／／ｐａｎａｓｏｎｉｃ．ｊｐ／Ｉｍａｇｅ２２３．ｊｐｇ」であり、４つめのコマンドは、実行開始時間「００：０１：３０」、コマンド「Ｐｌａｙ＿ＮｅｗＳｏｕｎｄ」、付加データ「ｈｔｔｐ：／／ｐａｎａｓｏｎｉｃ．ｊｐ／Ｓｏｕｎｄ．ａａｃ」であり、５つめのコマンドは、実行開始時間「００：０５：１５」、コマンド「Ｐｌａｙ＿Ｃｏｍｍａｎｄ１」、付加データのＵＲＬ「ｈｔｔｐ：／／ｐａｎａｓｏｎｉｃ．ｊｐ／Ａｃｔｉｏｎ１．ｚｉｐ」であり、６つめのコマンドは、実行開始時間「００：１５：３０」、コマンド「Ａｃｔｉｏｎ＿ｃｏｍｍａｎｄ２」、付加データ「無し」であり、７つめのコマンドは、実行開始時間「００：２１：４０」、コマンド「Ｐｌａｙ＿Ｃｏｍｍａｎｄ３２」、付加データのＵＲＬ「ｈｔｔｐ：／／ｐａｎａｓｏｎｉｃ．ｊｐ／Ａｃｔｉｏｎ３２．ｐｒｏｆ」、「ｈｔｔｐ：／／ｐａｎａｓｏｎｉｃ．ｊｐ／Ａｃｔｉｏｎ３２．ｚｉｐ」である。
【００７７】
受信したコマンド情報１０１３は、連動制御部１２０５へ通知する。
【００７８】
（Ｓ５００５）取得部１２０３は、受信したコマンド情報１０１３に付加データ１０１４のＵＲＬがある否かを判定する。付加データ１０１４のＵＲＬがある場合（ＹＥＳ）は、Ｓ５００６へ進み、付加データ１０１４のＵＲＬがない場合（ＮＯ）は、Ｓ５００７へ進む。図７Ａのコマンド情報の一例では、付加データのＵＲＬは存在するので、Ｓ５００６へ進む。
【００７９】
（Ｓ５００６）取得部１２０３は、付加データ配信部１００３から付加データ１０１４を取得する。図７Ａのコマンド情報の一例の付加データ１０１４は、「Ｏｐｅｎｉｎｇ．ｍｐ３」、「Ｉｍａｇｅ２２３．ｊｐｇ」、「Ｓｏｕｎｄ．ａａｃ」、「Ａｃｔｉｏｎ１．ｚｉｐ」、「Ａｃｔｉｏｎ３２．ｐｒｏｆ」、「Ａｃｔｉｏｎ３２Ａｄｄ．ｚｉｐ」の６つである。取得した付加データ１０１４は蓄積部１２０４に蓄積するとともに連動制御部１２０５に通知する。
【００８０】
（Ｓ５００７）連動制御部１２０５は、コマンド情報１０１３にタイマの設定が必要なコマンドが存在するか否かを判断する。具体的には、コマンド情報のコマンドのうち、実行開始時間が現在の時刻以降に実行開始するコマンドが存在するか否かを判断する。図７Ａのコマンド情報の一例では、１つめ、２つめのコマンドは、タイマ設定が不要で、３つめ以降のコマンド５つは、タイマ設定が必要である。タイマ設定が必要な場合（ＹＥＳ）は、Ｓ５００８へ進み、タイマ設定が不要な場合（ＮＯ）は、連動制御部１２０５は接続部１２０６へコマンド情報１０１３、付加データ１０１４と番組情報を送付し、Ｓ５００９へ進む。
【００８１】
（Ｓ５００８）連動制御部１２０５は、タイマ設定が必要なコマンドに対して、実行開始時間になるまでの時間を時間管理し、実行開始時間に到達すると、接続部１２０６へコマンド情報１０１３、付加データ１０１４と番組情報を送付し、Ｓ５００９へ進む。
【００８２】
（Ｓ５００９）接続部１２０６は、接続すべき演出装置１３００と接続を行う。接続には、番組情報に含まれる、演出ＩＤと演出装置１３００を接続するための通信方式を用いる。図４Ａの番組情報の一例では、演出ＩＤが「ＴｒａｎｓｆｏｒｍＳｗｏｒｄ」で、通信方式は、「Ｂｌｕｅｔｏｏｔｈ（登録商標）」で、さら接続プロフェイルは「ＧＥＯＰ」である。接続部１２０６は、Ｂｌｕｅｔｏｏｔｈ（登録商標）の接続プロファイルＧＥＯＰを用いて、「ＴｒａｎｓｆｏｒｍＳｗｏｒｄ」である演出装置１３００と接続する。
【００８３】
（Ｓ５０１０）接続部１２０６は、演出装置１３００と接続が確立すると、コマンド情報１０１３と付加データ１０１４を演出装置１３００の接続部１３０１へ送信する。
【００８４】
（Ｓ５０１１）接続部１２０６は、演出装置１３００の接続部１３０１から送付したコマンドを実行した旨を示す演出動作実績を受け取り、連動実績管理部１２０７へ演出動作実績を更新する。図８は、演出動作実績の一例を示す図である。図８の演出動作実績の一例では、番組ＩＤとエピソードＩＤに対して、何のコマンドが実行されたかを示す演出動作実績で構成される。具体的には、番組ＩＤが「５１８−１２３４１２」のエピソードＩＤが「３」の場合、コマンド「Ｐｌａｙ＿Ｓｏｕｎｄ３２４」と「ＬＥＤ＿Ａｌｌ＿Ｆｌａｓｈ」が実行されたことを示している。
【００８５】
Ｓ５００１からＳ５０１１の動作は、番組情報を受信している間は繰り返し実施される。
【００８６】
（Ｓ５０１２）これまで視聴していた番組の番組情報の受信が所定時間届かなくなったら、演出装置１３００に対して、Ｓ５００８におけるタイマ設定中のコマンドが存在すれば、タイマ設定を解除し、コマンドの送付を停止する。さらに、演出装置１３００との接続も解除する。
【００８７】
［１−２−４．演出装置処理］
最後に、演出装置１３００の動作を説明する。図９は、実施の形態１にかかる演出装置の動作を説明するフローチャートである。
【００８８】
（Ｓ９００１）演出装置１３００の接続部１３０１は、中継装置１２００の接続部１２０６からの接続要求に対して接続を確立し、データが送付されるのを待つ。
【００８９】
（Ｓ９００２）接続部１３０１は、中継装置１２００の接続部１２０６からデータを受信する。接続部１３０１は、コマンド制御部１３０２に受信したデータを送信する。
【００９０】
（Ｓ９００３）コマンド制御部１３０２は、受信したデータに付加データ１０１４があるかどうかを確認する。付加データ１０１４がある場合（ＹＥＳ）は、Ｓ９００４に進み、付加データ１０１４が無い場合（ＮＯ）は、Ｓ９００５に進む。
【００９１】
（Ｓ９００４）コマンド制御部１３０２は、付加データ１０１４がある場合、蓄積部１３０３に付加データ１０１４を蓄積する。
【００９２】
（Ｓ９００５）コマンド制御部１３０２は、受信したデータのコマンド情報１０１３と付加データ１０１４を用いて、演出装置１３００の連動動作を実行する。コマンドの内容に従って音声出力部１３０４や映像出力部１３０５やＬＥＤ１３０６やモータ１３０７を動作させる。
【００９３】
（Ｓ９００６）コマンド制御部１３０２でコマンドを実行すると、接続部１３０１を通じて中継装置１２００の接続部１２０６へ、実行したコマンドの演出動作実績を送付する。
【００９４】
以上のように、中継装置１２００は、受信装置１１００が再生中の番組を特定して、番組に関連するコマンド情報を取得して演出装置１３００に対してコマンドを送信する。これにより番組視聴に連動して演出装置１３００の演出動作を実現できる。
【００９５】
また、中継装置１２００が受信装置１１００からこれまで視聴していた番組の番組情報の受信が所定時間届かなくなったら、中継装置１２００内に設定したコマンド発行のためのタイマ設定を解除する。これにより、番組を視聴しているときだけ演出装置１３００に対して連動動作を実行させ、番組を視聴していないときは演出装置１３００に対して演出動作をさせないようにすることができる。
【００９６】
［１−３．効果］
以上のように、本実施の形態において、中継装置は、受信装置の番組の視聴状態を判定する視聴状態判定部と、演出装置の番組に関連する演出動作のための、コマンド情報と付加データを取得する取得部と、視聴状態判定部の判定結果に基づいて、コマンド情報と付加データを演出装置に送信するか否かを決定する連動制御部で構成される。
【００９７】
配信装置は、番組コンテンツを配信する番組配信部と、番組コンテンツに関連するコマンド情報を送信するコマンド配信部と、コマンド情報に含まれるコマンドに関連する付加データを配信する付加データ配信部で構成される。そして、コマンド配信部は、中継装置から受信した受信装置の視聴実績または演出装置の番組コンテンツに関連する演出動作実績に基づいて、中継装置に送信するコマンド情報を変更する。
【００９８】
連携システムは、配信装置と受信装置と中継装置と演出装置とからなる連動システムであって、配信装置は、番組コンテンツを配信する番組配信部と、番組コンテンツに関連する、演出装置の演出動作のためのコマンド情報を送信するコマンド配信部と、コマンド情報に関連する付加データを配信する付加データ配信部で構成され、受信装置は、番組コンテンツを受信する受信部と、番組視聴状態を送信する視聴状態通知部で構成され、中継装置は、受信装置の番組視聴状態を判定する視聴状態判定部と、演出装置の番組に関連する演出動作のためのコマンド情報と付加データとを取得する取得部と、視聴状態判定部の判定結果に基づいて、コマンド情報と付加データとを演出装置に送信するか否かを決定する連動制御部で構成され、演出装置は、コマンド情報と付加データとを受信し、実行するコマンド制御部で構成される。
【００９９】
さらに、本実施の形態の中継装置において、連動制御部は、視聴状態判定部の判定結果が、番組を視聴中である場合に、コマンド情報と付加データを演出装置に送信する。
【０１００】
これにより、番組の視聴状態に基づいて演出装置の演出動作をするか否かを変化させることができ、ユーザの番組視聴を促進できる。
【０１０１】
［１−４．他の動作］
さらに、本実施の形態において、視聴実績や演出動作実績に応じて、演出装置１３００が連動動作するためのコマンド情報１０１３や付加データ１０１４を変更してもよい。
【０１０２】
例えば、図２のＳ０８において、取得部１２０３が、視聴状態判定部１２０１の判定結果が、連動動作があると判断した場合は、配信装置１０００へ、視聴中の番組を特定するため番組情報を通知すると共に、視聴中の番組の視聴実績や演出動作実績を通知する。例えば、図６Ａの視聴実績の一例において、番組ＩＤが「５１８−１２３４１２」の３話を視聴している時に、視聴実績として１話、２話を視聴済である旨を通知してもよい。さらに、図８の演出動作実績の一例において、番組ＩＤが「５１８−１２３４１２」の３話を視聴している時に、演出動作実績として、１話で「Ｐｌａｙ＿Ｓｏｕｎｄ３２４」、「ＬＥＤ＿ａｌｌ＿Ｆｌａｓｈ」、「Ｄｉｓｐｌａｙ＿Ｉｍａｇｅ」、「Ｐｌａｙ＿Ｃｏｍｍａｎｄ１−１」を実施、２話で「Ｐｌａｙ＿Ｓｏｕｎｄ３２４」、「ＬＥＤ＿ａｌｌ＿Ｆｌａｓｈ」、「Ｄｉｓｐｌａｙ＿Ｉｍａｇｅ」、「Ｐｌａｙ＿Ｃｏｍｍａｎｄ２−１」を実施した旨を通知してもよい。
【０１０３】
図７Ｂは、視聴実績または演出動作実績を通知した結果、取得部１２０３が受信したコマンド情報の別の一例である。図７Ａと異なる点は、５つめのコマンドが「Ｐｌａｙ＿Ｃｏｍｍａｎｄ１」から「Ｐｌａｙ＿Ｃｏｍｍａｎｄ１００」に、付加データが、「ｈｔｔｐｓ：／／ｐａｎａｓｏｎｉｃ．ｊｐ／ａｃｔｉｏｎ１．ｚｉｐ」から「ｈｔｔｐｓ：／／ｐａｎａｓｏｎｉｃ．ｊｐ／ａｃｔｉｏｎ１００．ｚｉｐ」に変更され、８つめのコマンド「Ｐｌａｙ＿ｃｏｍｍａｎｄ４」、付加データ「ｈｔｔｐｓ：／／ｐａｎａｓｏｎｉｃ．ｊｐ／ａｃｔｉｏｎ４．ｐｒｏｆ」が新に追加されている。
【０１０４】
以上のように、中継装置１２００は、視聴状態判定部の判定結果を視聴実績として管理する管理部をさらに備え、取得部は、視聴実績に応じて、取得するコマンド情報と付加データが変更される。
【０１０５】
また、中継装置１２００は、演出装置から番組に関連する演出動作実績を受信し、演出動作実績として管理する管理部をさらに備え、取得部は、演出動作実績に応じて、取得するコマンド情報と付加データが変更される。
【０１０６】
これにより視聴実績または演出動作実績に連動して演出装置１３００の演出動作を実現でき、ユーザの継続的な番組視聴を促進できる。
【０１０７】
また、本実施の形態において、配信装置１０００が配信する番組は放送波で送信していたが、ビデオオンデマンド（以下ＶＯＤ）で配信してもよい。図１０は、実施の形態１にかかる別の連動システム全体の構成図である。連動システム２００は、連動システム１００に対して、配信装置２０００と受信装置２１００が異なる。配信装置２０００は、配信装置１０００に対して、番組配信部２００１が異なる。受信装置２１００は、受信装置１１００に対して、受信部２１０１が異なる。番組配信部２００１は、ＶＯＤで番組を配信する。受信部２１０１は、番組コンテンツ１０１１をＶＯＤで受信する。図１１は、実施の形態１にかかる別の受信装置の動作を説明するフローチャート、すなわちＶＯＤで番組が配信される場合のフローチャートである。
【０１０８】
図３の受信装置１１００の動作を説明するフローチャートと異なる点を中心に説明する。
【０１０９】
（Ｓ１１００１）受信装置２１００は、まずＨＴＭＬブラウザを起動する。ＨＴＭＬブラウザは受信部２１０１を経由して配信装置２０００の番組配信部２００１からＶＯＤのメニューページとなるＨＴＭＬを取得し、ユーザ操作により再生画面用のＨＴＭＬを取得してＶＯＤの再生を開始する。番組コンテンツ１０１１の受信以降の動作は、Ｓ３００１〜Ｓ３００３であり、受信装置１１００と同様である。
【０１１０】
（Ｓ１１００２）受信装置２１００は、受信部２１０１で配信装置２０００の番組配信部２００１から関連コンテンツ１０１２を受信する。
【０１１１】
（Ｓ１１００３）起動したＨＴＭＬブラウザに関連コンテンツ１０１２を表示する。以降の動作は、Ｓ３００７〜Ｓ３００８であり、受信装置１１００と同様である。
【０１１２】
さらに、配信装置１０００が配信する番組は放送波で送信、配信装置２０００が配信する番組はＶＯＤで配信していたが、配信装置は、両方の配信機能を備えていてもよい。
【０１１３】
さらに、中継装置１２００に演出装置１３００が接続されていない場合に、中継装置１２００自身がコマンド情報１０１３と付加データ１０１４を用いて演出動作を行ってもよい。これにより、演出装置１３００を持たないユーザであっても、番組に連動した演出動作を擬似的に体験することができ、さらに演出装置の購買意欲を向上させることができる。
【０１１４】
なお、中継装置１２００に蓄積したコマンド情報１０１３及び付加データ１０１４を、番組視聴中だけでなく、番組視聴後にも演出装置１３００に対して演出動作を行うことができるようにしてもよい。この場合、番組視聴実績があった場合に限って、演出装置１３００に対して、演出動作を可能にするとしてもよい。
【０１１５】
また、実施の形態１では、視聴番組の特定と中継装置１２００への通知の一例として受信装置１１００の視聴状態通知部１１０５が視聴中番組を特定して中継装置１２００の視聴状態判定部１２０１にＩＰ通信によって通知する手段を説明した。しかし、視聴状態通知部１１０５と視聴状態判定部１２０１はこれに限定されない。例えば、音声出力部１１０４の出力から音声認識技術を用いて視聴している番組を特定してもよい。具体的には、番組コンテンツ１０１１の音声データの所定の周波数帯に特定の音源を挿入することで、音声指紋を重畳させて、エンコードしておき、視聴状態判定部１２０１は、音声出力部１１０４から出力される音声を音声認識することにより、音声に重畳された番組情報として認識できる。さらに、番組コンテンツ１０１１に付帯する関連コンテンツ１０１２としてＢＭＬを用意し、そのＢＭＬで映像画面に番組を識別するための二次元バーコードを表示させて、映像出力部１１０３から出力される映像をカメラ等でから映像認識し、映像に重畳された番組情報を認識できる。
【０１１６】
以上のように、本実施の形態において、中継装置は、視聴状態判定部の判定は、受信装置から出力される番組情報を受信することによる判定、受信装置から出力される音声による判定、受信装置から出力される映像による判定のうち少なくとも１つである。
【０１１７】
これにより、中継装置における、受信装置の番組の視聴状態の判定ができる。
【０１１８】
なお、実施の形態１では、視聴実績と演出動作実績は別で管理したが、まとめて管理してもよい。
【０１１９】
（実施の形態２）
以下、図１２〜図１８を用いて、実施の形態２について説明する。
【０１２０】
本実施の形態は、実施の形態１と比べて、視聴実績および演出動作実績を配信装置で管理する点、視聴実績および演出動作実績をユーザ毎にマイル化して蓄積し、蓄積したマイルを利用し、特典として番組コンテンツ配信事業者および演出装置製造メーカから各種サービスを得る点で異なる。本実施の形態における説明は主として、実施の形態１と異なる点を説明する。
【０１２１】
［２−１．構成］
図１２は、実施の形態２にかかる連動システム全体の構成図である。
【０１２２】
連動システム３００は、配信装置３０００と受信装置３１００と中継装置３２００と演出装置１３００で構成される。
【０１２３】
配信装置３０００は、番組配信部１００１とコマンド配信部１００２と、付加データ配信部１００３と認証部３００１と視聴状態管理部３００２と実績管理部３００３と特典配信部３００４で構成される。
【０１２４】
番組配信部１００１とコマンド配信部１００２と付加データ配信部１００３は実施の形態１と同じ構成である。
【０１２５】
認証部３００１は、配信装置３０００において、ユーザ毎に視聴状態の管理や視聴実績および演出動作実績を管理するために、ユーザＩＤとパスワードの管理及び認証を行う。
【０１２６】
視聴状態管理部３００２は、受信装置３１００が受信している番組コンテンツ１０１１を視聴中であるか否かを管理するため、受信装置１１００から番組情報を受け取る。
【０１２７】
実績管理部３００３は、受信装置３１００から受け取った番組情報から視聴実績を管理する。さらに、実績管理部３００３は、中継装置３２００から演出装置１３００が演出動作した演出動作実績を受け取り、演出動作実績を管理する。
【０１２８】
特典配信部３００４は、中継装置３２００から、保有している視聴実績と演出動作実績で利用可能な特典の取得指示を受けて、特典データ３０１５を中継装置３２００へ送付する。特典データ３０１５とは、演出装置１３００の演出動作を追加で実施可能な追加アイテムとしてのコマンドや番組に連動したゲームアプリや、番組に関連する商品を購入できるクーポン券や番組に関連する玩具の購入券等である。
【０１２９】
視聴状態管理部３００２と実績管理部３００３と特典配信部３００４は認証部３００１を介して中継装置３２００と接続される、すなわち、ユーザ認証後に接続可能となる。
【０１３０】
受信装置３１００は、例えばＴＶ受信機である。受信装置３１００は、受信部１１０１とデコード部１１０２と映像出力部１１０３と音声出力部１１０４と視聴状態通知部３１０５で構成される。
【０１３１】
受信部１１０１とデコード部１１０２と映像出力部１１０３と音声出力部１１０４は、実施の形態１と同じ構成である。
【０１３２】
視聴状態通知部３１０５は、受信部１１０１で受信した関連コンテンツ１０１２を読み込み、関連コンテンツ１０１２に記載されている番組情報を取得して配信装置３０００へ送信する。本実施の形態においては、関連コンテンツ１０１２はＨＴＭＬ形式で記述されているコンテンツとし、視聴状態通知部３１０５はＨＴＭＬブラウザとし、受信装置３１００と配信装置３０００はＩＰ通信で接続するものとして説明する。
【０１３３】
中継装置３２００は、例えばスマートフォンやタブレット端末などである。中継装置３２００は、視聴状態判定部３２０１と取得部３２０３と蓄積部１２０４と連動制御部１２０５と接続部３２０６とＩ／Ｆ（インターフェース：ＩｎｔｅｒＦａｃｅ）部３２０８と特典制御部３２０９で構成される。
【０１３４】
蓄積部１２０４と連動制御部１２０５は、実施の形態１と同じ構成である。
【０１３５】
視聴状態判定部３２０１は、配信装置３０００の認証部３００１を介して視聴状態管理部３００２へ受信装置３１００の視聴状態を問い合わせ、番組情報を受信し、受信した番組情報から視聴状態を判定する。判定結果を取得部３２０３へ出力する。
【０１３６】
Ｉ／Ｆ部３２０８は、取得部３２０３が各種処理の実行結果として出力する文字や画像を表示する機能を備える。表示する機能としては、例えば液晶モニタや有機ＥＬモニタで構成される。Ｉ／Ｆ部３２０８は、さらにユーザの操作を受け付けて、その操作信号を取得部３２０３に伝達する機能も備える。ユーザの操作を受け付ける機能としては、ボタン、タッチパネル等で構成される。本実施の形態において、Ｉ／Ｆ部３２０８は、配信装置３０００で管理されている視聴実績と演出動作実績を取得する指示や取得した結果の表示や、視聴実績と演出動作実績からマイル取得の指示を行い、その結果の表示を行う。
【０１３７】
取得部３２０３は、視聴状態の判定結果に基づいて、視聴中の番組に対して演出装置１３００の連動動作に必要なコマンド情報１０１３及び付加データ１０１４を、それぞれ配信装置３０００のコマンド配信部１００２と付加データ配信部１００３から受信する。
【０１３８】
さらに取得部３２０３は、接続部３２０６から受け取った演出動作実績を配信装置３０００の実績管理部３００３へ認証部３００１を介して送付する。
【０１３９】
また取得部３２０３は、Ｉ／Ｆ部３２０８からの実績取得指示により、実績管理部３００３で管理されている視聴実績と演出動作実績を取得し、Ｉ／Ｆ部３２０８へ取得結果を返信し、Ｉ／Ｆ部３２０８からのマイル取得指示により、実績管理部３００３で管理されているマイルを取得し、Ｉ／Ｆ部３２０８とへ取得結果を返信する。
【０１４０】
さらに取得部３２０３は、取得したマイルに基づいて、特典配信部３００４から特典データ３０１５を取得し、特典制御部３２０９へ伝える。
【０１４１】
特典制御部３２０９は、受け取った特典データ３０１５を実行するための制御を行う。
【０１４２】
蓄積部１２０４は、受信したコマンド情報１０１３と付加データ１０１４を蓄積する。
【０１４３】
連動制御部１２０５は、演出装置１３００の連動動作の実行を制御し、演出装置１３００へ連動動作のためのコマンドを発行する。
【０１４４】
接続部３２０６は、演出装置１３００と接続を確立し、演出装置１３００の連動動作のためのコマンドと、コマンドに対応した付加データ１０１４の送信を行い、演出装置１３００から演出動作実績を受信する。ここで、中継装置３２００と演出装置１３００の通信手段は限定しない。例えばＢｌｕｅｔｏｏｔｈ（登録商標）やＷｉ−Ｆｉ（登録商標）のような無線通信方式で接続されてもよいし、ＵＳＢやシリアルバスケーブルによって有線接続されていてもよい。さらに、接続部３２０６は、演出装置１３００から受信した演出動作実績を取得部３２０３へ伝える。
【０１４５】
演出装置１３００は、実施の形態１と同じ構成である。
【０１４６】
［２−２．演出動作］
以上のように構成された連動システム３００について、その演出動作を以下に説明する。
【０１４７】
［２−２−１．連動システムの演出動作の全体のシーケンス］
図１３は、本実施の形態の連動システムの演出動作の全体のシーケンスを説明する図である。
【０１４８】
（Ｓ０１）配信装置３０００は、放送する番組コンテンツ１０１１、関連コンテンツ１０１２、コマンド情報１０１３、付加データ１０１４を準備し、配信を開始する。例えば、番組コンテンツ１０１１は、放送サーバから放送波で配信する。関連コンテンツ１０１２は、ＨＴＭＬ形式で記載されているコンテンツであるので、ＷＥＢサーバからＩＰ通信で配信する。それぞれの配信は番組配信部１００１で行う。また、コマンド情報１０１３と付加データ１０１４はＷＥＢサーバに準備する。
【０１４９】
（Ｓ０２）受信装置３１００は、配信装置３０００が配信する番組コンテンツ１０１１を受信部１１０１で受信する。
【０１５０】
（Ｓ０３）受信した番組コンテンツ１０１１はデコード部１１０２でデコードし、映像データと音声データとして出力する。映像データは映像出力部１１０３に出力する。音声データは音声出力部１１０４に出力する。
【０１５１】
（Ｓ０４）受信装置３１００は、番組コンテンツ１０１１の受信と同時に、配信装置３０００が配信する関連コンテンツ１０１２を受信する。
【０１５２】
（Ｓ０５）受信した関連コンテンツ１０１２は、ＨＴＭＬブラウザを利用して表示する。
【０１５３】
（Ｓ３１）番組コンテンツ１０１１と関連コンテンツ１０１２を受信すると、受信装置３１００の視聴状態通知部３１０５は、配信装置３０００の認証部３００１へあらかじめ登録されているユーザＩＤとパスワードで認証する。登録されていない場合は、認証部３００１へユーザＩＤとパスワードの取得を行う。
【０１５４】
（Ｓ３２）視聴状態通知部３１０５は、配信装置３０００の視聴状態管理部３００２へ番組情報を通知する。番組情報の通知は、番組視聴中、すなわち、番組コンテンツ１０１１と関連コンテンツ１０１２を受信している間は、所定のタイミングで定期的に通知する。
【０１５５】
（Ｓ３３）配信装置３０００の視聴状態管理部３００２は、ユーザＩＤ毎に番組情報を管理しており、番組情報が通知される毎に受信した番組情報を管理する。例えば、番組情報は、図４Ａの番組情報の一例であり、実施の形態１と同様である。
【０１５６】
（Ｓ３４）中継装置３２００の視聴状態判定部３２０１は、配信装置３０００の認証部３００１へあらかじめ登録されているユーザＩＤとパスワードで認証する。ここで用いるユーザＩＤとパスワードは、受信装置３１００の視聴状態通知部３１０５で用いたユーザＩＤとパスワードと同じものである。登録されていない場合は、認証部３００１へユーザＩＤとパスワードの取得を行う。認証部３００１の認証完了後、視聴状態管理部３００２へ番組情報の受信要求を行う。番組情報の受信要求は、番組の視聴が終了するまで、所定のタイミングで定期的に要求する。
【０１５７】
（Ｓ３５）中継装置３２００の視聴状態判定部３２０１は、番組情報の通知を配信装置３０００の視聴状態管理部３００２から受信すると、視聴している番組が何であるか、その番組に対応する連動動作があるかどうかを判定する。
【０１５８】
（Ｓ０８）取得部３２０３は、視聴状態判定部３２０１の判定結果が、連動動作があると判断した場合は、配信装置３０００へ、視聴中の番組を特定するため、番組情報を通知する。
【０１５９】
（Ｓ０９）配信装置３０００のコマンド配信部１００２は、取得部３２０３へコマンド情報１０１３を送付する。
【０１６０】
（Ｓ１０）また、配信装置３０００の付加データ配信部１００３は、取得部３２０３へ付加データ１０１４を送付する。
【０１６１】
（Ｓ１１）次に中継装置３２００は、受信したコマンド情報１０１３から接続可能な演出装置１３００を特定し、演出装置１３００を検索し、接続する。
【０１６２】
（Ｓ１２）演出装置１３００との接続が完了すると、演出装置１３００へ送付するコマンドを、コマンド情報１０１３から取得し、コマンド実行時間にコマンドを実行できるようにタイマ設定等を行う。
【０１６３】
（Ｓ１３）実行時間が近づくと、演出装置１３００に対してコマンドと対応する付加データ１０１４を、接続部３２０６から発行する。
【０１６４】
（Ｓ１４）演出装置１３００の接続部１３０１は、中継装置３２００からコマンドと付加データ１０１４を受信すると、コマンド制御部１３０２は、そのコマンドを実行する。
【０１６５】
（Ｓ１５）コマンドを実行した実績である演出動作実績の通知を接続部１３０１から中継装置３２００に送付する。
【０１６６】
（Ｓ３６）中継装置３２００の接続部３２０６は、演出装置１３００の接続部１３０１から受信した演出動作実績を取得部３２０３へ送る。取得部３２０３は、受け取った演出動作実績を配信装置３０００の実績管理部３００３へ認証部３００１を介して送付する。
【０１６７】
（Ｓ３７）演出動作実績を受信した配信装置３０００の実績管理部３００３は、その実績を管理する。
【０１６８】
なお、中継装置３２００の視聴状態判定部３２０１は、配信装置３０００の視聴状態管理部３００２から通知される情報が所定時間届かずタイムアウトすると、演出装置１３００で実行しているコマンドの設定を解除する。
【０１６９】
次に受信装置３１００、中継装置３２００におけるそれぞれの動作の詳細を説明する。演出装置１３００における動作の詳細は、実施の形態１と同じであるので説明を省略する。
【０１７０】
［２−２−２．受信装置の演出動作］
図１４は、受信装置３１００の演出動作を説明するフローチャートである。
【０１７１】
（Ｓ３００１）受信装置３１００は、受信部１１０１で配信装置３０００の番組配信部１００１から番組コンテンツ１０１１を受信する。
【０１７２】
（Ｓ３００２）受信した番組コンテンツ１０１１をデコード部１１０２でデコードして、映像データと音声データを得る。
【０１７３】
（Ｓ３００３）映像データは、映像出力部１１０３から出力する。音声データは音声出力部１１０４から出力する。
【０１７４】
（Ｓ３００４）受信装置３１００は、受信部１１０１で配信装置３０００の番組配信部１００１から関連コンテンツ１０１２を受信する。
【０１７５】
（Ｓ３００５）受信した関連コンテンツ１０１２はＨＴＭＬ形式で記載されているコンテンツであるので、ＨＴＭＬブラウザを起動する。
【０１７６】
（Ｓ３００６）起動したＨＴＭＬブラウザに関連コンテンツ１０１２を表示する。
【０１７７】
（Ｓ１４００８）関連コンテンツ１０１２は、ＨＴＭＬ形式で記載されているコンテンツであり、受信している番組の番組情報を配信装置３０００へ送付するためのスクリプトがプログラミングされている。このスクリプトに従って、受信装置３１００の視聴状態通知部３１０５は、配信装置３０００の認証部３００１と接続を確立する。接続の確立後、視聴状態通知部３１０５は、配信装置３０００の認証部３００１へあらかじめ登録されているユーザＩＤとパスワードで認証する。登録されていない場合は、認証部３００１へユーザＩＤとパスワードの取得を行う。さらに、このスクリプトに従って、視聴状態通知部３１０５は、配信装置３０００の視聴状態管理部３００２へ番組情報を通知する。番組情報の通知は、番組視聴中、すなわち、番組コンテンツ１０１１と関連コンテンツ１０１２を受信している間は、所定のタイミングで定期的に通知する。番組情報に関する説明は、実施の形態１で図４Ａを用いて説明した内容と同様であるので省略する。
【０１７８】
Ｓ３００１からＳ３００６とＳ１４００８の動作は番組の視聴開始から視聴終了まで繰り返し実施される。
【０１７９】
［２−２−３．中継装置の演出動作］
次に、中継装置３２００の動作を説明する。図１５は、中継装置３２００の動作を説明するフローチャートである。ここでは、視聴中の番組において、演出装置１３００の連動動作がある、として説明を行う。
【０１８０】
（Ｓ５００２）中継装置３２００の視聴状態判定部３２０１は、番組情報を受信すると、受信した番組情報が、現在視聴中の番組の視聴を開始してから初めての通知か否かを判定する。初めての通知である場合（ＹＥＳ）、Ｓ１５００３へ進み、初めての通知でない場合（ＮＯ）、次の番組情報の受信を待つ。
【０１８１】
（Ｓ１５００３）視聴状態判定部３２０１は、番組情報を取得部３２０３へ通知する。取得部３２０３は、配信装置３０００のコマンド配信部１００２へ番組ＩＤとエピソードＩＤを通知し、コマンド情報１０１３の取得要求を行う。
【０１８２】
（Ｓ５００４）コマンド配信部１００２は通知を受けた番組ＩＤとエピソードＩＤから対応するコマンド情報１０１３を送信し、取得部３２０３はこのコマンド情報１０１３を受信する。
【０１８３】
コマンド情報１０１３に関する説明は、実施の形態１で図７Ａを用いて説明した内容と同様であるので省略する。
【０１８４】
受信したコマンド情報１０１３は、連動制御部１２０５へ通知する。
【０１８５】
（Ｓ５００５）取得部３２０３は、受信したコマンド情報１０１３に付加データ１０１４のＵＲＬがある否かを判定する。付加データ１０１４のＵＲＬがある場合（ＹＥＳ）は、Ｓ５００６へ進み、付加データ１０１４のＵＲＬがない場合（ＮＯ）は、Ｓ５００７へ進む。図７Ａのコマンド情報の一例では、付加データのＵＲＬは存在するので、Ｓ５００７へ進む。
【０１８６】
（Ｓ５００６）取得部３２０３は、付加データ配信部１００３から付加データ１０１４を取得する。図７Ａのコマンド情報の一例では、「Ｏｐｅｎｉｎｇ．ｍｐ３」、「Ｉｍａｇｅ２２３３．ｊｐｇ」、「Ｓｏｕｎｄ．ａａｃ」、「Ａｃｔｉｏｎ１．ｚｉｐ」、「Ａｃｔｉｏｎ３２．ｐｒｏｆ」、「Ａｃｔｉｏｎ３２Ａｄｄ．ｚｉｐ」の６つである。取得した付加データ１０１４は蓄積部１２０４に格納するとともに連動制御部１２０５に通知する。
【０１８７】
（Ｓ５００７）連動制御部１２０５は、コマンド情報１０１３にタイマの設定が必要なコマンドが存在するか否かを判断する。具体的には、コマンド情報１０１３のコマンドのうち、実行開始時間が現在の時刻以降に実行開始するコマンドが存在するか否かを判断する。図７Ａのコマンド情報の一例では、１つめ、２つめのコマンドは、タイマ設定が不要で、３つめ以降のコマンド５つは、タイマ設定が必要である。タイマ設定が不要な場合（ＮＯ）は、Ｓ５００９へ進み、タイマ設定が必要な場合（ＹＥＳ）は、Ｓ５００８へ進む。連動制御部１２０５は、タイマ設定が不要な場合、接続部１２０６へコマンド情報１０１３、付加データ１０１４と番組情報を送付する。
【０１８８】
（Ｓ５００８）連動制御部１２０５は、タイマ設定が必要なコマンドに対して、実行開始時間になるまでの時間を時間管理し、実行開始時間に到達すると、接続部３２０６へコマンド情報１０１３、付加データ１０１４と番組情報を送付し、Ｓ５００９へ進む。
【０１８９】
（Ｓ５００９）接続部３２０６は、接続すべき演出装置１３００と接続を行う。接続には、番組情報に含まれる、演出ＩＤと演出装置１３００を接続するための通信方式を用いる。図４Ａの番組情報の一例では、演出ＩＤが「ＴｒａｎｓｆｏｒｍＳｗｏｒｄ」で、通信方式は、「Ｂｌｕｅｔｏｏｔｈ（登録商標）」で、さら接続プロフェイルは「ＧＥＯＰ」であるので、接続部１２０６は、Ｂｌｕｅｔｏｏｔｈ（登録商標）の接続プロファイルＧＥＯＰを用いて、「ＴｒａｎｓｆｏｒｍＳｗｏｒｄ」である演出装置１３００と接続する。
【０１９０】
（Ｓ５０１０）接続部３２０６は、演出装置１３００と接続が確立すると、コマンド情報１０１３と付加データ１０１４を演出装置１３００の接続部１３０１へ送信する。
【０１９１】
（Ｓ１５０１１）接続部３２０６は、演出装置１３００の接続部１３０１から送付したコマンドを実行した旨を示す演出動作実績を受け取ると、取得部３２０３へ送付する。取得部３２０３は、は配信装置３０００の実績管理部３００３へ認証部３００１を介して送付する。
【０１９２】
Ｓ５００２、Ｓ１５００３、Ｓ５００４からＳ５０１０とＳ１５０１１の動作は番組情報を受信している間は繰り返し実施される。
【０１９３】
（Ｓ５０１２）これまで視聴していた番組の番組情報の受信が所定時間届かなくなったら、演出装置１３００に対して、Ｓ５００８におけるタイマ設定中のコマンドが存在すれば、タイマ設定を解除し、コマンドの送付を停止する。さらに、演出装置１３００との接続も解除する。
【０１９４】
（Ｓ１５０１３）視聴状態判定部３２０１は、最後に受け取った番組情報を取得部３２０３へ通知する。取得部３２０３は、番組情報を配信装置３０００の実績管理部３００３へ認証部３００１を介して送付する。
【０１９５】
ここで、配信装置３０００の実績管理部３００３で管理されている視聴実績と演出動作実績について説明する。図１６Ａは、視聴実績と演出動作実績の一例を示す図である。ユーザＩＤごとに視聴実績と演出動作実績を管理している。視聴実績と演出動作実績はまとめて管理されている。視聴実績は、視聴時間や視聴回数ではなく、所定の計算式で視聴時間や視聴回数を数値化してマイルとして計上されている。演出動作実績は、実行したコマンドではなく、所定の計算式で実行したコマンドを数値化してマイルとして計上されている。さらに、番組ＩＤと演出ＩＤだけでなく、番組コンテンツを制作した番組コンテンツ配信事業者を特定する事業者ＩＤと演出装置を製作した演出装置メーカを特定するメーカＩＤも合わせて管理されている。さらに、マイルを使用していれば使用済みのマイル数も合わせて管理されている。
【０１９６】
図１６Ａの視聴実績と演出動作実績の一例として、マイルの計算式を、視聴時間1分を１マイルとし、コマンド１つの実行で１０マイルとした例である。順に、事業者ＩＤが「ＸＸＸ」、番組ＩＤが「３４１２」、演出ＩＤが「ＴｒａｎｓｆｏｒｍＳｗｏｒｄ」、メーカＩＤ「ＡＡＡ」、視聴実績マイル「３０」、演出動作実績マイル「２０」、合計マイル「５０」、使用済マイル「０」と、事業者ＩＤが「ＹＹＹ」、番組ＩＤが「３９５９」、演出ＩＤが「Ｗｅａｐｏｎ」、メーカＩＤ「ＢＢＢ」、視聴実績マイル「４５」、演出動作実績マイル「３０」、合計マイル「７５」、使用済マイル「０」と、事業者ＩＤ「ＸＸＸ」、番組ＩＤ「３５７９」、演出ＩＤ「ｍｉｒｒｏｒ」、メーカＩＤ「ＣＣＣ」、視聴実績マイル「６０」、演出動作実績マイル「３０」、合計マイル「９０」、使用済マイル「０」と、事業者ＩＤ「ＺＺＺ」、番組ＩＤ「８６４２」、演出ＩＤ「ｂｒａｃｅｌｅｔ」、メーカＩＤ「ＡＡＡ」、視聴実績マイル「４０」、演出動作実績「１５」、合計マイル「５５」、使用済マイル「０」である。
【０１９７】
［２−２−４．演出装置の演出動作］
演出装置１３００の演出動作は、実施の形態１と同じであるので、説明を省略する。
【０１９８】
［２−２−５．特典取得動作］
次に視聴実績と演出動作実績により貯めたマイルを利用して特典を取得する動作を説明する。
【０１９９】
まず、図１６Ａの視聴実績と演出動作実績の一例を用いて、保有マイルと特典の関係を説明する。特典の対象としては、番組に対する特典、番組コンテンツ配信事業者に対する特典、演出装置メーカに対する特典がある。
【０２００】
図１６Ａにおいて、番組としては、番組ＩＤ「３４１２」、「３９５９」、「３５７９」、「８６４２」の４つの番組が管理されている。従って、特典としては４つの番組ごとに特典を取得できる。番組コンテンツ配信事業者としては、事業者ＩＤ「ＸＸＸ」、「ＹＹＹ」、「ＺＺＺ」の３つの番組コンテンツ配信事業者が管理されている。事業者ＩＤ「ＸＸＸ」は、番組として「３４１２」、「３５７９」の２番組が存在するので、それぞれの保有マイル、５０と９０を合計して、対象マイルを１４０マイルとし、事業者ＩＤ「ＸＸＸ」としての特典を取得できる。また、演出装置メーカとしては、メーカＩＤ「ＡＡＡ」「ＢＢＢ」「ＣＣＣ」の３つのメーカが管理されている。メーカＩＤ「ＡＡＡ」は、番組として「３４１２」、「８６４２」の２番組が存在するので、それぞれの保有マイル、５０と５５を合計して対象マイルを１０５とし、メーカＩＤ「ＡＡＡ」としての特典を取得できる。
【０２０１】
図１７は、特典取得のシーケンスを説明する図である。図１８は、中継装置３２００における特典取得のユーザインタフェースを説明する図である。図１８において、Ｗ１、Ｗ２、Ｗ３−１、Ｗ３−２、Ｗ４−１、Ｗ４−２、Ｗ５−１、Ｗ５−２はそれぞれＩ／Ｆ部３２０８に含まれるタッチパネル等の表示画面を示している。図１７と図１８を用いて、特典を取得する動作を説明する。
【０２０２】
（Ｓ１７０１）ユーザは、中継装置３２００のＩ／Ｆ部３２０８から保有しているマイルを確認するための操作を行う。具体的には、表示画面Ｗ１の「マイルを確認する」を選択する操作を行う。保有マイルの確認指示を受けた取得部３２０３は、配信装置３０００へ保有マイルの確認要求指示を行う。
【０２０３】
（Ｓ１７０２）保有マイル確認要求指示を受けた配信装置３０００の実績管理部３００３は、要求を受けたユーザのユーザＩＤの視聴実績と演出動作実績を特典配信部３００４に渡す。視聴実績と演出動作実績を受けた特典配信部３００４は、取得可能な特典をリストアップし、中継装置３２００へ送付し、保有マイル確認要求に応答する。
【０２０４】
（Ｓ１７０３）保有マイル確認要求の応答が届いた取得部３２０３は、Ｉ／Ｆ部３２０８に応答内容の表示の指示を行う。Ｉ／Ｆ部３２０８は、保有マイルと保有マイルに対する特典選択のための表示を行う。表示画面Ｗ２は取得する特典の対象を選択する画面である。対象として「番組」、「事業者」、「メーカ」が選択可能に表示され、ユーザはいずれか１つを選択する。「番組」を選択すると、表示画面Ｗ３−１に切り替わり、「事業者」を選択すると、表示画面Ｗ４−１に切り替わり、「メーカ」を選択すると、表示画面Ｗ５−１に切り替わる。
【０２０５】
表示画面Ｗ３−１は、番組ごとに使用可能なマイルを表示した画面であり、具体的には、番組ＩＤ「３４１２」は５０マイル、番組ＩＤ「３９５９」は７５マイル、番組ＩＤ「３５７９」は９０マイル、番組ＩＤ「８６４２」は５５マイル使用可能である。使用可能マイルの右横に特典を取得したい番組を選択するための「使う」と表示された領域が存在し、選択可能に表示されている。
【０２０６】
表示画面Ｗ４−１は、番組コンテンツ配信事業者ごとに使用可能なマイルを表示した画面であり、具体的には、事業者ＩＤ「ＸＸＸ」は１４０マイル、事業者ＩＤ「ＹＹＹ」は７５マイル、事業者ＩＤ「ＺＺＺ」は５５マイル使用可能である。使用可能マイルの右横に特典を取得したい番組を選択するための「使う」と表示された領域が存在し、選択可能に表示されている。
【０２０７】
表示画面Ｗ５−１は、演出装置メーカごとに使用可能なマイルを表示した画面であり、具体的には、メーカＩＤ「ＡＡＡ」は１０５マイル、メーカＩＤ「ＢＢＢ」は７５マイル、メーカＩＤ「ＣＣＣ」は９０マイル使用可能である。使用可能マイルの右横に特典を取得したい番組を選択するための「使う」と表示された領域が存在し、選択可能に表示されている。
【０２０８】
表示画面Ｗ３−１において、番組ＩＤ「３９５９」を選択すると、表示画面Ｗ３−２に切り替わる。表示画面Ｗ３−２は番組ＩＤ「３９５９」において取得可能な特典と、特典取得に必要なマイル数と、保有マイルに対して取得可能な特典がどれであるかわかるように表示される。具体的には、特典として「追加アイテム」には２０マイル必要で、取得可能であることを示すための「使う」と表示された領域が存在し、選択可能に表示されている。さらに、特典として「ゲーム」には５０マイル必要で取得可能であり、続いて、特典として「割引クーポン」には１００マイル必要で、取得できないことを示すための「使えない」と表示された領域が存在し、選択できないように表示されている。表示画面Ｗ３−２では、特典「ゲーム」を選択している。
【０２０９】
表示画面Ｗ４−１において、事業者ＩＤ「ＹＹＹ」を選択すると、表示画面Ｗ４−２に切り替わる。表示画面Ｗ４−２は事業者ＩＤ「ＹＹＹ」において取得可能な特典と特典取得に必要なマイル数と保有マイルに対して取得可能な特典がどれであるかわかるように表示される。具体的には、特典として「カレンダー」には５０マイル必要で、取得可能であることを示すための「使う」と表示された領域が存在し、選択可能に表示されている。さらに、特典として「ＶＯＤ視聴権」には１００マイル必要で、取得できないことを示すための「使えない」と表示された領域が存在し、選択できないように表示されている。表示画面Ｗ４−２では、特典「カレンダー」を選択している。
【０２１０】
表示画面Ｗ５−１において、メーカＩＤ「ＡＡＡ」を選択すると、表示画面Ｗ５−２に切り替わる。表示画面Ｗ５−２はメーカＩＤ「ＡＡＡ」において取得可能な特典と特典取得に必要なマイル数と保有マイルに対して取得可能な特典がどれであるかわかるように表示される。具体的には、特典として「貯金箱」には５０マイル必要で、取得可能であることを示すための「使う」と表示された領域が存在し、選択可能に表示されている。さらに、特典として「プラモデル（登録商標）」には１００マイル必要で取得できると表示され、続いて、特典として「新作玩具」には２０００マイル必要で、取得できないことを示すための「使えない」と表示された領域が存在し、選択できないように表示されている。表示画面Ｗ５−２では、特典「プラモデル（登録商標）」を選択している。
【０２１１】
Ｉ／Ｆ部３２０８は、選択した特典情報を取得部３２０３へ送る。
【０２１２】
（Ｓ１７０４）特典情報を受け取った取得部３２０３は、配信装置３０００へ特典取得要求を行う。
【０２１３】
（Ｓ１７０５）特典取得要求を受けた配信装置３０００の実績管理部３００３は、視聴実績と演出動作実績の使用済マイルを更新する。例えば、表示画面Ｗ５−２において、特典「プラモデル（登録商標）」を選択し、特典取得要求を行った場合を説明する。図１６Ｂは、視聴実績と演出動作実績の別の一例を示す図である。表示画面Ｗ５−２において、選択した特典「プラモデル（登録商標）」は１００マイル必要であるので、メーカＩＤ「ＡＡＡ」に対応する実績から１００マイルを使用済マイルとする更新を行う。図１６Ｂにおいて、メーカＩＤ「ＡＡＡ」に対応する番組ＩＤ「３４１２」から５０マイル、番組ＩＤ「８６４２」から５０マイルを使用済マイルとして更新する。
【０２１４】
（Ｓ１７０６）特典取得要求を受けた配信装置３０００の特典配信部３００４は、特典「プラモデル（登録商標）」に対応する特典データ３０１５を取り出す。
【０２１５】
（Ｓ１７０７）特典配信部３００４は、特典データ３０１５を中継装置３２００に送信する。
【０２１６】
（Ｓ１７０８）中継装置３２００の取得部３２０３は、受信した特典データ３０１５を特典制御部３２０９に送る。特典データ３０１５を受け取った特典制御部３２０９は、特典データ３０１５に基づいて特典に対する処理を実施する。
【０２１７】
［２−３．効果等］
以上のように、本実施の形態において、中継装置は、取得部は、視聴状態判定部の判定結果である視聴実績または演出装置から受信する番組に関連する演出動作実績に基づいて、特典を取得する。さらに、取得部が取得する特典は、番組に関連する特典と番組コンテンツを制作する事業者に関する特典と演出装置を製作するメーカに関する特典のうちの少なくとも１つである。
【０２１８】
これによりユーザに対して、番組の視聴の促進や演出装置の購買意欲をかき立てることができる。
【０２１９】
なお、本実施の形態において、視聴実績と演出動作実績は配信装置で管理するとしたが、中継装置で管理してもよい。
【産業上の利用可能性】
【０２２０】
本開示は、番組コンテンツの視聴実績に応じてインセンティブを与えながら演出装置を連動動作可能な中継装置、配信装置、連動システムに適用可能である。中継装置として、スマートフォン、携帯電話、タブレット端末、モバイルＰＣなどに、適用可能である。
【符号の説明】
【０２２１】
１００，２００，３００  連動システム
１０００，２０００，３０００  配信装置
１００１，２００１  番組配信部
１００２  コマンド配信部
１００３  付加データ配信部
１１００，２１００，３１００  受信装置
１１０１，２１０１  受信部
１１０２  デコード部
１１０３  映像出力部
１１０４  音声出力部
１１０５，３１０５  視聴状態通知部
１０１１  番組コンテンツ
１０１２  関連コンテンツ
１０１３  コマンド情報
１０１４  付加データ
１２００，３２００  中継装置
１２０１，３２０１  視聴状態判定部
１２０２  視聴実績管理部
１２０３，３２０３  取得部
１２０４，１３０３  蓄積部
１２０５  連動制御部
１２０６，１３０１，３２０６  接続部
１２０７  連動実績管理部
１３００  演出装置
１３０２  コマンド制御部
１３０４  音声出力部
１３０５  映像出力部
１３０６  ＬＥＤ
１３０７  モータ
３００１  認証部
３００２  視聴状態管理部
３００３  実績管理部
３００４  特典配信部
３０１５  特典データ
【図１】
2015083299.tif 000003
【図２】
2015083299.tif 000004
【図３】
2015083299.tif 000005
【図４Ａ】
2015083299.tif 000006
【図４Ｂ】
2015083299.tif 000007
【図５】
2015083299.tif 000008
【図６Ａ】
2015083299.tif 000009
【図６Ｂ】
2015083299.tif 000010
【図７Ａ】
2015083299.tif 000011
【図７Ｂ】
2015083299.tif 000012
【図８】
2015083299.tif 000013
【図９】
2015083299.tif 000014
【図１０】
2015083299.tif 000015
【図１１】
2015083299.tif 000016
【図１２】
2015083299.tif 000017
【図１３】
2015083299.tif 000018
【図１４】
2015083299.tif 000019
【図１５】
2015083299.tif 000020
【図１６Ａ】
2015083299.tif 000021
【図１６Ｂ】
2015083299.tif 000022
【図１７】
2015083299.tif 000023
【図１８】
2015083299.tif 000024
【手続補正書】
【提出日】平成28年5月18日(2016.5.18)
【手続補正１】
【補正対象書類名】明細書
【補正対象項目名】全文
【補正方法】変更
【補正の内容】
【発明の詳細な説明】
【技術分野】
【０００１】
本開示は、番組コンテンツの視聴実績に応じてインセンティブを与えながら演出装置を連動動作可能な中継装置、連動システム、配信装置、中継装置の処理方法に関する。
【背景技術】
【０００２】
放送中の番組にあわせて電子音楽装置を連動動作させる構成が開示されている（例えば、特許文献１参照）。
【先行技術文献】
【特許文献】
【０００３】
【特許文献１】特許第５０１２０９７号公報
【発明の概要】
【０００４】
本開示にかかる連動システムは、配信装置と受信装置と中継装置と演出装置とからなる連動システムであって、配信装置は、番組コンテンツを配信する番組配信部と、番組コンテンツに関連する、演出装置の演出動作のためのコマンド情報を送信するコマンド配信部と、コマンド情報に関連する付加データを配信する付加データ配信部とを備え、受信装置は、番組コンテンツを受信する受信部と、番組視聴状態を送信する視聴状態通知部とを備え、中継装置は、受信装置の番組視聴状態を判定する視聴状態判定部と、演出装置の番組に関連する演出動作のためのコマンド情報と付加データとを取得する取得部と、視聴状態判定部の判定結果に基づいて、コマンド情報と付加データとを演出装置に送信するか否かを決定する連動制御部とを備え、演出装置は、コマンド情報と付加データとを受信し、実行するコマンド制御部とを備える。
【０００５】
この構成により、本開示にかかる連動システムは、番組の視聴状態に基づいて演出装置の演出動作をするか否かを変化させることができ、ユーザの番組視聴を促進できる。
【図面の簡単な説明】
【０００６】
【図１】図１は、実施の形態１にかかる連動システム全体の構成図である。
【図２】図２は、実施の形態１にかかる連動システムの全体のシーケンスを説明する図である。
【図３】図３は、実施の形態１にかかる受信装置の動作を説明するフローチャートである。
【図４Ａ】図４Ａは、実施の形態１にかかる番組情報の一例を示す図である。
【図４Ｂ】図４Ｂは、実施の形態１にかかる番組情報の別の一例を示す図である。
【図５】図５は、実施の形態１にかかる中継装置の動作を説明するフローチャートである。
【図６Ａ】図６Ａは、実施の形態１にかかる視聴実績の一例を示す図である。
【図６Ｂ】図６Ｂは、実施の形態１にかかる視聴実績の別の一例を示す図である。
【図７Ａ】図７Ａは、実施の形態１にかかるコマンド情報の一例を示す図である。
【図７Ｂ】図７Ｂは、実施の形態１にかかるコマンド情報の別の一例を示す図である。
【図８】図８は、実施の形態１にかかる演出動作実績の一例を示す図である。
【図９】図９は、実施の形態１にかかる演出装置の動作を説明するフローチャートである。
【図１０】図１０は、実施の形態１にかかる別の連動システム全体の構成図である。
【図１１】図１１は、実施の形態１にかかる別の受信装置の動作を説明するフローチャートである。
【図１２】図１２は、実施の形態２にかかる連動システム全体の構成図である。
【図１３】図１３は、実施の形態２にかかる連動システムの全体のシーケンスを説明する図である。
【図１４】図１４は、実施の形態２にかかる受信装置の動作を説明するフローチャートである。
【図１５】図１５は、実施の形態２にかかる中継装置の動作を説明するフローチャートである。
【図１６Ａ】図１６Ａは、実施の形態２にかかる視聴実績と演出動作実績の一例を示す図である。
【図１６Ｂ】図１６Ｂは、実施の形態２にかかる視聴実績と演出動作実績の別の一例を示す図である。
【図１７】図１７は、実施の形態２にかかる特典取得のシーケンスを説明する図である。
【図１８】図１８は、実施の形態２にかかる特典取得のユーザインタフェースを説明する図である。
【発明を実施するための形態】
【０００７】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００８】
なお、添付図面および以下の説明は、当業者が本開示を十分に理解するために、提供されるのであって、これらにより特許請求の範囲に記載の主題を限定することは意図されていない。
【０００９】
（実施の形態１）
以下、図１〜１１を用いて、実施の形態１について説明する。
【００１０】
［１−１．構成］
図１は、実施の形態１にかかる連動システム全体の構成図である。
【００１１】
連動システム１００は、配信装置１０００と受信装置１１００と中継装置１２００と演出装置１３００で構成される。
【００１２】
配信装置１０００は、番組配信部１００１とコマンド配信部１００２と、付加データ配信部１００３で構成される。
【００１３】
番組配信部１００１は、符号化された映像および音声からなる番組コンテンツ１０１１やＨＴＭＬ（Ｈｙｐｅｒ  Ｔｅｘｔ  Ｍａｒｋｕｐ  Ｌａｎｇｕａｇｅ）形式やＢＭＬ（Ｂｒｏａｄｃａｓｔ  Ｍａｒｋｕｐ  Ｌａｎｇｕａｇｅ）形式で記述された、番組コンテンツ１０１１に関連する関連コンテンツ１０１２を受信装置１１００に向けて配信する。
【００１４】
コマンド配信部１００２は、中継装置１２００にコマンド情報１０１３を配信する。コマンド情報１０１３は、演出装置１３００が連動動作するために必要なコマンド等の情報である。
【００１５】
付加データ配信部１００３は、中継装置１２００の要求に応じて付加データ１０１４を配信する。付加データ１０１４は、ＪＰＥＧ（Ｊｏｉｎｔ  Ｐｈｏｔｏｇｒａｐｈｉｃ  Ｅｘｐｅｒｔｓ  Ｇｒｏｕｐ）方式やＰＮＧ（Ｐｏｒｔａｂｌｅ  Ｎｅｔｗｏｒｋ  Ｇｒａｐｈｉｃｓ）形式などの静止画ファイルや、ＱｕｉｃｋＴｉｍｅ（登録商標）の動画像のファイル形式であるＭＯＶ形式やＴＳ（Ｔｒａｎｓｐｏｒｔ  Ｓｔｒｅａｍ）形式の映像ストリームファイルや、ＡＡＣ（Ａｄｖａｎｃｅｄ  Ａｕｄｉｏ  Ｃｏｄｉｎｇ）形式やＭＰ３（ＭＰＥＧ  Ａｕｄｉｏ  Ｌａｙｅｒ−３）形式等の音声ファイルであり、演出装置１３００においてコマンド情報１０１３のコマンドを実行する時に参照するデータである。
【００１６】
配信装置１０００は、放送波とＩＰ通信で受信装置１１００及び中継装置１２００と接続する。
【００１７】
受信装置１１００は、例えばＴＶ受信機である。受信装置１１００は、受信部１１０１とデコード部１１０２と映像出力部１１０３と音声出力部１１０４と視聴状態通知部１１０５で構成される。
【００１８】
受信部１１０１は、番組コンテンツ１０１１と関連コンテンツ１０１２を配信装置１０００から受信する。
【００１９】
デコード部１１０２は、受信部１１０１で受信した番組コンテンツ１０１１をデコードして映像データと音声データとして出力する。
【００２０】
映像出力部１１０３は、デコード部１１０２でデコードされた映像データを映像として出力する。
【００２１】
音声出力部１１０４は、デコード部１１０２でデコードされた音声データを音声として出力する。
【００２２】
視聴状態通知部１１０５は、受信部１１０１で受信した関連コンテンツ１０１２を読み込み、関連コンテンツ１０１２に記載されている番組情報を取得して中継装置１２００へ送信する。なお、本実施の形態において、関連コンテンツ１０１２はＨＴＭＬ形式で記述されているコンテンツとし、視聴状態通知部１１０５はＨＴＭＬブラウザとし、受信装置１１００と中継装置１２００はＩＰ（Ｉｎｔｅｒｎｅｔ  Ｐｒｏｔｏｃｏｌ）通信で接続するものとして説明する。
【００２３】
中継装置１２００は、例えばスマートフォンやタブレット端末などである。中継装置１２００は、視聴状態判定部１２０１と視聴実績管理部１２０２と取得部１２０３と蓄積部１２０４と連動制御部１２０５と接続部１２０６と連動実績管理部１２０７で構成される。
【００２４】
視聴状態判定部１２０１は、受信装置１１００の視聴状態通知部１１０５から受信する番組情報を受信し、受信した番組情報から視聴状態を判定する。判定結果を取得部１２０３と視聴実績管理部１２０２へ出力する。
【００２５】
視聴実績管理部１２０２は、視聴状態の判定結果に基づいて視聴中の番組を特定し、番組の視聴実績を管理する。
【００２６】
取得部１２０３は、視聴状態の判定結果に基づいて、視聴中の番組に対して演出装置１３００の連動動作に必要なコマンド情報１０１３及び付加データ１０１４を、それぞれ配信装置１０００のコマンド配信部１００２と付加データ配信部１００３から受信する。
【００２７】
蓄積部１２０４は、受信したコマンド情報１０１３と付加データ１０１４を蓄積する。
【００２８】
連動制御部１２０５は、演出装置１３００の連動動作の実行を制御し、演出装置１３００へ連動動作のためのコマンドを発行する。
【００２９】
接続部１２０６は、演出装置１３００と接続を確立し、演出装置１３００の連動動作のためのコマンドと、コマンドに対応した付加データ１０１４の送信を行い、演出装置１３００から演出動作実績を受信する。ここで、中継装置１２００と演出装置１３００の通信手段は限定しない。例えばＢｌｕｅｔｏｏｔｈ（登録商標）やＷｉ−Ｆｉ（登録商標）（Ｗｉｒｅｌｅｓｓ  Ｆｉｄｅｌｉｔｙ）のような無線通信方式で接続されてもよいし、ＵＳＢ（Ｕｎｉｖｅｒｓａｌ  Ｓｅｒｉａｌ  Ｂｕｓ）やシリアルバスケーブルによって有線接続されていてもよい。
【００３０】
連動実績管理部１２０７は、演出装置１３００から受信した演出動作実績を管理する。
【００３１】
演出装置１３００は、例えば番組コンテンツ１０１１に関連した玩具などであり、より具体的には、番組のヒーローまたはヒロインが身に付ける小道具や武器などを模した玩具である。そのため演出装置１３００は、例えば音声を出力するためのスピーカや映像を出力するための小型ディスプレイや発光の演出を実現する発光部やモータによって駆動される可動部などを備えている。
【００３２】
演出装置１３００は、接続部１３０１とコマンド制御部１３０２と蓄積部１３０３と音声出力部１３０４と映像出力部１３０５とＬＥＤ１３０６とモータ１３０７で構成される。
【００３３】
接続部１３０１は、中継装置１２００と接続してコマンド及び付加データ１０１４を受信し、演出動作実績を送信する。
【００３４】
コマンド制御部１３０２は、接続部１３０１が受信したコマンドの実行を制御する。
【００３５】
蓄積部１３０３は、コマンドの実行時に使用する付加データ１０１４を蓄積する。
【００３６】
音声出力部１３０４と映像出力部１３０５とＬＥＤ１３０６とモータ１３０７は、コマンド制御部１３０２によって制御され、コマンド実行時の連動動作で映像を出力する場合は映像出力部１３０５に出力し、音声を出力する場合は音声出力部１３０４に出力し、発光させる場合はＬＥＤ１３０６に出力し、振動等の物理的な出力の場合はモータ１３０７に出力される。
【００３７】
なお、音声出力部１３０４、映像出力部１３０５、ＬＥＤ１３０６と、モータ１３０７は本実施の形態の一例であり、必須の構成要素ではなく、またソフトウエアアプリケーションを備えていてもよい。
【００３８】
［１−２．動作］
以上のように構成された連動システム１００について、その動作を以下に説明する。
【００３９】
［１−２−１．連動システムの全体のシーケンス］
図２は、本実施の形態の連動システムの全体のシーケンスを説明する図である。
【００４０】
（Ｓ０１）配信装置１０００は、放送する番組コンテンツ１０１１、関連コンテンツ１０１２、コマンド情報１０１３、付加データ１０１４を準備し、配信を開始する。例えば、番組コンテンツ１０１１は、放送サーバから放送波で配信する。関連コンテンツ１０１２は、ＨＴＭＬ形式で記載されているコンテンツであるので、ＷＥＢサーバからＩＰ通信で配信する。それぞれの配信は番組配信部１００１で行う。また、コマンド情報１０１３と付加データ１０１４はＷＥＢサーバに準備する。
【００４１】
（Ｓ０２）受信装置１１００は、配信装置１０００が配信する番組コンテンツ１０１１を受信部１１０１で受信する。
【００４２】
（Ｓ０３）受信した番組コンテンツ１０１１はデコード部１１０２でデコードし、映像データと音声データとして出力する。映像データは映像出力部１１０３に出力する。音声データは音声出力部１１０４に出力する。
【００４３】
（Ｓ０４）受信装置１１００は、番組コンテンツ１０１１の受信と同時に、配信装置１０００が配信する関連コンテンツ１０１２を受信する。
【００４４】
（Ｓ０５）受信した関連コンテンツ１０１２は、ＨＴＭＬブラウザを利用して表示する。
【００４５】
（Ｓ０６）番組コンテンツ１０１１と関連コンテンツ１０１２を受信すると、受信装置１１００の視聴状態通知部１１０５は、中継装置１２００の視聴状態判定部１２０１へ番組情報を通知する。番組情報の通知は、番組視聴中、すなわち、番組コンテンツ１０１１と関連コンテンツ１０１２を受信している間は、所定のタイミングで定期的に通知する。
【００４６】
（Ｓ０７）中継装置１２００の視聴状態判定部１２０１は、番組情報の通知を受信装置１１００の視聴状態通知部１１０５から受信すると、視聴している番組が何であるか、その番組に対応する連動動作があるかどうかを判定する。
【００４７】
（Ｓ０８）取得部１２０３は、視聴状態判定部１２０１の判定結果が、連動動作があると判断した場合は、配信装置１０００へ、視聴中の番組を特定するため、番組情報を通知する。
【００４８】
（Ｓ０９）配信装置１０００のコマンド配信部１００２は、取得部１２０３へコマンド情報１０１３を送付する。
【００４９】
（Ｓ１０）また、配信装置１０００の付加データ配信部１００３は、取得部１２０３へ付加データ１０１４を送付する。
【００５０】
（Ｓ１１）次に中継装置１２００は、受信したコマンド情報１０１３から接続可能な演出装置１３００を特定し、演出装置１３００を検索し、接続する。
【００５１】
（Ｓ１２）演出装置１３００との接続が完了すると、演出装置１３００へ送付するコマンドを、コマンド情報１０１３から取得し、コマンド実行時間にコマンドを実行できるようにタイマ設定等を行う。実行時間が近づくと、演出装置１３００に対してコマンドと対応する付加データ１０１４を、接続部１２０６から発行する。
【００５２】
（Ｓ１３）演出装置１３００の接続部１３０１は、中継装置１２００からコマンドと付加データ１０１４を受信すると、コマンド制御部１３０２は、そのコマンドを実行する。
【００５３】
（Ｓ１４）コマンドを実行した実績である演出動作実績の通知を接続部１３０１から中継装置１２００に送付する。
【００５４】
（Ｓ１５）演出動作実績を受信した中継装置１２００の接続部１２０６は、その実績を連動実績管理部１２０７で管理する。
【００５５】
なお、中継装置１２００の視聴状態判定部１２０１は、受信装置１１００の視聴状態通知部１１０５から通知される情報が所定時間届かずタイムアウトすると、演出装置１３００で実行しているコマンドの設定を解除する。
【００５６】
次に受信装置１１００、中継装置１２００、演出装置１３００におけるそれぞれの動作の詳細を説明する。
【００５７】
［１−２−２．受信装置の動作］
図３は、受信装置１１００の動作を説明するフローチャートである。
【００５８】
（Ｓ３００１）受信装置１１００は、受信部１１０１で配信装置１０００の番組配信部１００１から番組コンテンツ１０１１を受信する。
【００５９】
（Ｓ３００２）受信した番組コンテンツ１０１１をデコード部１１０２でデコードして、映像データと音声データを得る。
【００６０】
（Ｓ３００３）映像データは、映像出力部１１０３から出力する。音声データは音声出力部１１０４から出力する。
【００６１】
（Ｓ３００４）受信装置１１００は、受信部１１０１で配信装置１０００の番組配信部１００１から関連コンテンツ１０１２を受信する。
【００６２】
（Ｓ３００５）受信した関連コンテンツ１０１２はＨＴＭＬ形式で記載されているコンテンツであるので、ＨＴＭＬブラウザを起動する。
【００６３】
（Ｓ３００６）起動したＨＴＭＬブラウザに関連コンテンツ１０１２を表示する。
【００６４】
（Ｓ３００７）関連コンテンツ１０１２は、ＨＴＭＬ形式で記載されているコンテンツであり、受信している番組の番組情報を中継装置１２００へ送付するためのスクリプトがプログラミングされている。このスクリプトに従って、受信装置１１００の視聴状態通知部１１０５は、中継装置１２００の視聴状態判定部１２０１と接続する。
【００６５】
（Ｓ３００８）さらに、このスクリプトに従って、視聴状態通知部１１０５から視聴状態判定部１２０１へ所定のタイミングで番組情報を送信する。
【００６６】
図４Ａは、番組情報の一例を示す図である。番組情報は、視聴中の番組を識別するための番組ＩＤと、番組のシリーズ物である場合に何話目かを示すエピソードＩＤと、現在視聴している番組の視聴時間と、連動動作を行う演出装置１３００を特定する演出ＩＤと、演出装置１３００を接続するための通信方式で構成される。図４Ａの番組情報の一例では、番組ＩＤは「５１８−１２３４１２」であり、エピソードＩＤは「３」で３話目であり、視聴時間は「００：０１：２３」で視聴時間が１分２３秒であることを示し、演出ＩＤは「ＴｒａｎｓｆｏｒｍＳｗｏｒｄ」であり、演出装置１３００を接続するための通信方式は、「Ｂｌｕｅｔｏｏｔｈ（登録商標）」であり、さらに、機器接続のための接続プロフェイルは「ＧＥＯＰ（Ｇｅｎｅｒｉｃ  Ｏｂｊｅｃｔ  Ｅｘｃｈａｎｇｅ  Ｐｒｏｆｉｌｅ）」であることを示している。
【００６７】
なお、視聴時間は、図４Ａの番組情報の一例では視聴している時間としたが、視聴している時刻を示してもよい。
【００６８】
Ｓ３００１からＳ３００８の動作は番組の視聴開始から視聴終了まで繰り返し実施される。
【００６９】
［１−２−３．中継装置の動作］
次に、中継装置１２００の動作を説明する。図５は、中継装置１２００の動作を説明するフローチャートである。ここでは、視聴中の番組において、演出装置１３００の連動動作がある、として説明を行う。
【００７０】
（Ｓ５００１）中継装置１２００の視聴状態判定部１２０１は、番組情報を受信すると番組情報を視聴実績管理部１２０２へ通知する。視聴実績管理部１２０２は、受け取った番組情報に基づいて、視聴実績管理部１２０２で管理されている視聴実績を更新する。図６Ａは、視聴実績の一例を示す図である。視聴実績は、視聴中の番組を識別するための番組ＩＤと、番組ＩＤ毎の視聴回数と、番組ＩＤ毎の総視聴時間と、番組のシリーズ物である場合に何話目かを示すエピソードＩＤと、エピソードＩＤ毎の視聴時間で構成される。
【００７１】
図４Ａの番組情報の一例では、番組ＩＤは「５１８−１２３４１２」であり、エピソードＩＤは「３」で３話目であり、視聴時間は「００：０１：２３」であるので、視聴実績管理部１２０２が図４Ａの番組情報の一例を受け取ると、図６Ａの視聴実績の一例のように視聴実績を、番組ＩＤが「５１８−１２３４１２」でエピソードＩＤが「３」の視聴時間が現在の時刻と視聴時間から「２０１３．１０．２５  ９：００：００〜９：０１：２３」と、更新する。
【００７２】
さらに、図４Ｂは、番組情報の別の一例であり、図４Ａの番組情報の通知の後、次の番組情報として通知される番組情報であるとする。図４Ｂにおいて、図４Ａの番組情報と異なる点は、視聴時間が「００：０５：２３」である。図４Ｂの番組情報を受け取った視聴実績管理部１２０２は、視聴実績を更新する。図６Ｂは視聴実績の別の一例である。図６Ｂにおいて、図６Ａの視聴実績に対し、番組ＩＤが「５１８−１２３４１２」でエピソードＩＤが「３」の視聴時間が「２０１３．１０．２５  ９：００：００〜９：０５：２３」に更新される。
【００７３】
（Ｓ５００２）受信した番組情報が、現在視聴中の番組の視聴を開始してから初めての通知か否かを判定する。初めての通知である場合（ＹＥＳ）、Ｓ５００３へ進み、初めての通知でない場合（ＮＯ）、次の番組情報の受信を待つ。
【００７４】
（Ｓ５００３）視聴状態判定部１２０１は、番組情報を取得部１２０３へ通知する。取得部１２０３は、配信装置１０００のコマンド配信部１００２へ番組ＩＤとエピソードＩＤを通知し、コマンド情報１０１３の取得要求を行う。
【００７５】
（Ｓ５００４）コマンド配信部１００２は通知を受けた番組ＩＤとエピソードＩＤから対応するコマンド情報１０１３を送信し、取得部１２０３はこのコマンド情報１０１３を受信する。
【００７６】
図７Ａは、コマンド情報の一例を示す図である。コマンド情報１０１３は、実行開始時間と、コマンドと、付加データのＵＲＬで構成される。１つのコマンドに対して付加データは無くてもよいし、１つでも２つであってもよい。実行開始時間は、番組開始からの経過時間を示している。図７Ａのコマンド情報の一例では、コマンドは７つある。１つめのコマンドは、実行開始時間「００：００：００」、コマンド「Ｐｌａｙ＿Ｓｏｕｎｄ３２４」、付加データのＵＲＬ「ｈｔｔｐ：／／ｐａｎａｓｏｎｉｃ．ｊｐ／Ｏｐｅｎｉｎｇ．ｍｐ３」であり、２つめのコマンドは、実行開始時間「００：００：００」、コマンド「ＬＥＤ＿Ａｌｌ＿Ｆｌａｓｈ」、付加データは「ＮＵＬＬ」なので「無し」であり、３つめのコマンドは、実行開始時間「００：０１：００」、コマンド「Ｄｉｓｐｌａｙ＿Ｉｍａｇｅ」、付加データのＵＲＬ「ｈｔｔｐ：／／ｐａｎａｓｏｎｉｃ．ｊｐ／Ｉｍａｇｅ２２３．ｊｐｇ」であり、４つめのコマンドは、実行開始時間「００：０１：３０」、コマンド「Ｐｌａｙ＿ＮｅｗＳｏｕｎｄ」、付加データ「ｈｔｔｐ：／／ｐａｎａｓｏｎｉｃ．ｊｐ／Ｓｏｕｎｄ．ａａｃ」であり、５つめのコマンドは、実行開始時間「００：０５：１５」、コマンド「Ｐｌａｙ＿Ｃｏｍｍａｎｄ１」、付加データのＵＲＬ「ｈｔｔｐ：／／ｐａｎａｓｏｎｉｃ．ｊｐ／Ａｃｔｉｏｎ１．ｚｉｐ」であり、６つめのコマンドは、実行開始時間「００：１５：３０」、コマンド「Ａｃｔｉｏｎ＿ｃｏｍｍａｎｄ２」、付加データ「無し」であり、７つめのコマンドは、実行開始時間「００：２１：４０」、コマンド「Ｐｌａｙ＿Ｃｏｍｍａｎｄ３２」、付加データのＵＲＬ「ｈｔｔｐ：／／ｐａｎａｓｏｎｉｃ．ｊｐ／Ａｃｔｉｏｎ３２．ｐｒｏｆ」、「ｈｔｔｐ：／／ｐａｎａｓｏｎｉｃ．ｊｐ／Ａｃｔｉｏｎ３２．ｚｉｐ」である。
【００７７】
受信したコマンド情報１０１３は、連動制御部１２０５へ通知する。
【００７８】
（Ｓ５００５）取得部１２０３は、受信したコマンド情報１０１３に付加データ１０１４のＵＲＬがある否かを判定する。付加データ１０１４のＵＲＬがある場合（ＹＥＳ）は、Ｓ５００６へ進み、付加データ１０１４のＵＲＬがない場合（ＮＯ）は、Ｓ５００７へ進む。図７Ａのコマンド情報の一例では、付加データのＵＲＬは存在するので、Ｓ５００６へ進む。
【００７９】
（Ｓ５００６）取得部１２０３は、付加データ配信部１００３から付加データ１０１４を取得する。図７Ａのコマンド情報の一例の付加データ１０１４は、「Ｏｐｅｎｉｎｇ．ｍｐ３」、「Ｉｍａｇｅ２２３．ｊｐｇ」、「Ｓｏｕｎｄ．ａａｃ」、「Ａｃｔｉｏｎ１．ｚｉｐ」、「Ａｃｔｉｏｎ３２．ｐｒｏｆ」、「Ａｃｔｉｏｎ３２Ａｄｄ．ｚｉｐ」の６つである。取得した付加データ１０１４は蓄積部１２０４に蓄積するとともに連動制御部１２０５に通知する。
【００８０】
（Ｓ５００７）連動制御部１２０５は、コマンド情報１０１３にタイマの設定が必要なコマンドが存在するか否かを判断する。具体的には、コマンド情報のコマンドのうち、実行開始時間が現在の時刻以降に実行開始するコマンドが存在するか否かを判断する。図７Ａのコマンド情報の一例では、１つめ、２つめのコマンドは、タイマ設定が不要で、３つめ以降のコマンド５つは、タイマ設定が必要である。タイマ設定が必要な場合（ＹＥＳ）は、Ｓ５００８へ進み、タイマ設定が不要な場合（ＮＯ）は、連動制御部１２０５は接続部１２０６へコマンド情報１０１３、付加データ１０１４と番組情報を送付し、Ｓ５００９へ進む。
【００８１】
（Ｓ５００８）連動制御部１２０５は、タイマ設定が必要なコマンドに対して、実行開始時間になるまでの時間を時間管理し、実行開始時間に到達すると、接続部１２０６へコマンド情報１０１３、付加データ１０１４と番組情報を送付し、Ｓ５００９へ進む。
【００８２】
（Ｓ５００９）接続部１２０６は、接続すべき演出装置１３００と接続を行う。接続には、番組情報に含まれる、演出ＩＤと演出装置１３００を接続するための通信方式を用いる。図４Ａの番組情報の一例では、演出ＩＤが「ＴｒａｎｓｆｏｒｍＳｗｏｒｄ」で、通信方式は、「Ｂｌｕｅｔｏｏｔｈ（登録商標）」で、さら接続プロフェイルは「ＧＥＯＰ」である。接続部１２０６は、Ｂｌｕｅｔｏｏｔｈ（登録商標）の接続プロファイルＧＥＯＰを用いて、「ＴｒａｎｓｆｏｒｍＳｗｏｒｄ」である演出装置１３００と接続する。
【００８３】
（Ｓ５０１０）接続部１２０６は、演出装置１３００と接続が確立すると、コマンド情報１０１３と付加データ１０１４を演出装置１３００の接続部１３０１へ送信する。
【００８４】
（Ｓ５０１１）接続部１２０６は、演出装置１３００の接続部１３０１から送付したコマンドを実行した旨を示す演出動作実績を受け取り、連動実績管理部１２０７へ演出動作実績を更新する。図８は、演出動作実績の一例を示す図である。図８の演出動作実績の一例では、番組ＩＤとエピソードＩＤに対して、何のコマンドが実行されたかを示す演出動作実績で構成される。具体的には、番組ＩＤが「５１８−１２３４１２」のエピソードＩＤが「３」の場合、コマンド「Ｐｌａｙ＿Ｓｏｕｎｄ３２４」と「ＬＥＤ＿Ａｌｌ＿Ｆｌａｓｈ」が実行されたことを示している。
【００８５】
Ｓ５００１からＳ５０１１の動作は、番組情報を受信している間は繰り返し実施される。
【００８６】
（Ｓ５０１２）これまで視聴していた番組の番組情報の受信が所定時間届かなくなったら、演出装置１３００に対して、Ｓ５００８におけるタイマ設定中のコマンドが存在すれば、タイマ設定を解除し、コマンドの送付を停止する。さらに、演出装置１３００との接続も解除する。
【００８７】
［１−２−４．演出装置処理］
最後に、演出装置１３００の動作を説明する。図９は、実施の形態１にかかる演出装置の動作を説明するフローチャートである。
【００８８】
（Ｓ９００１）演出装置１３００の接続部１３０１は、中継装置１２００の接続部１２０６からの接続要求に対して接続を確立し、データが送付されるのを待つ。
【００８９】
（Ｓ９００２）接続部１３０１は、中継装置１２００の接続部１２０６からデータを受信する。接続部１３０１は、コマンド制御部１３０２に受信したデータを送信する。
【００９０】
（Ｓ９００３）コマンド制御部１３０２は、受信したデータに付加データ１０１４があるかどうかを確認する。付加データ１０１４がある場合（ＹＥＳ）は、Ｓ９００４に進み、付加データ１０１４が無い場合（ＮＯ）は、Ｓ９００５に進む。
【００９１】
（Ｓ９００４）コマンド制御部１３０２は、付加データ１０１４がある場合、蓄積部１３０３に付加データ１０１４を蓄積する。
【００９２】
（Ｓ９００５）コマンド制御部１３０２は、受信したデータのコマンド情報１０１３と付加データ１０１４を用いて、演出装置１３００の連動動作を実行する。コマンドの内容に従って音声出力部１３０４や映像出力部１３０５やＬＥＤ１３０６やモータ１３０７を動作させる。
【００９３】
（Ｓ９００６）コマンド制御部１３０２でコマンドを実行すると、接続部１３０１を通じて中継装置１２００の接続部１２０６へ、実行したコマンドの演出動作実績を送付する。
【００９４】
以上のように、中継装置１２００は、受信装置１１００が再生中の番組を特定して、番組に関連するコマンド情報を取得して演出装置１３００に対してコマンドを送信する。これにより番組視聴に連動して演出装置１３００の演出動作を実現できる。
【００９５】
また、中継装置１２００が受信装置１１００からこれまで視聴していた番組の番組情報の受信が所定時間届かなくなったら、中継装置１２００内に設定したコマンド発行のためのタイマ設定を解除する。これにより、番組を視聴しているときだけ演出装置１３００に対して連動動作を実行させ、番組を視聴していないときは演出装置１３００に対して演出動作をさせないようにすることができる。
【００９６】
［１−３．効果］
以上のように、本実施の形態において、中継装置は、受信装置の番組の視聴状態を判定する視聴状態判定部と、演出装置の番組に関連する演出動作のための、コマンド情報と付加データを取得する取得部と、視聴状態判定部の判定結果に基づいて、コマンド情報と付加データを演出装置に送信するか否かを決定する連動制御部で構成される。
【００９７】
配信装置は、番組コンテンツを配信する番組配信部と、番組コンテンツに関連するコマンド情報を送信するコマンド配信部と、コマンド情報に含まれるコマンドに関連する付加データを配信する付加データ配信部で構成される。そして、コマンド配信部は、中継装置から受信した受信装置の視聴実績または演出装置の番組コンテンツに関連する演出動作実績に基づいて、中継装置に送信するコマンド情報を変更する。
【００９８】
連携システムは、配信装置と受信装置と中継装置と演出装置とからなる連動システムであって、配信装置は、番組コンテンツを配信する番組配信部と、番組コンテンツに関連する、演出装置の演出動作のためのコマンド情報を送信するコマンド配信部と、コマンド情報に関連する付加データを配信する付加データ配信部で構成され、受信装置は、番組コンテンツを受信する受信部と、番組視聴状態を送信する視聴状態通知部で構成され、中継装置は、受信装置の番組視聴状態を判定する視聴状態判定部と、演出装置の番組に関連する演出動作のためのコマンド情報と付加データとを取得する取得部と、視聴状態判定部の判定結果に基づいて、コマンド情報と付加データとを演出装置に送信するか否かを決定する連動制御部で構成され、演出装置は、コマンド情報と付加データとを受信し、実行するコマンド制御部で構成される。
【００９９】
さらに、本実施の形態の中継装置において、連動制御部は、視聴状態判定部の判定結果が、番組を視聴中である場合に、コマンド情報と付加データを演出装置に送信する。
【０１００】
これにより、番組の視聴状態に基づいて演出装置の演出動作をするか否かを変化させることができ、ユーザの番組視聴を促進できる。
【０１０１】
［１−４．他の動作］
さらに、本実施の形態において、視聴実績や演出動作実績に応じて、演出装置１３００が連動動作するためのコマンド情報１０１３や付加データ１０１４を変更してもよい。
【０１０２】
例えば、図２のＳ０８において、取得部１２０３が、視聴状態判定部１２０１の判定結果が、連動動作があると判断した場合は、配信装置１０００へ、視聴中の番組を特定するため番組情報を通知すると共に、視聴中の番組の視聴実績や演出動作実績を通知する。例えば、図６Ａの視聴実績の一例において、番組ＩＤが「５１８−１２３４１２」の３話を視聴している時に、視聴実績として１話、２話を視聴済である旨を通知してもよい。さらに、図８の演出動作実績の一例において、番組ＩＤが「５１８−１２３４１２」の３話を視聴している時に、演出動作実績として、１話で「Ｐｌａｙ＿Ｓｏｕｎｄ３２４」、「ＬＥＤ＿ａｌｌ＿Ｆｌａｓｈ」、「Ｄｉｓｐｌａｙ＿Ｉｍａｇｅ」、「Ｐｌａｙ＿Ｃｏｍｍａｎｄ１−１」を実施、２話で「Ｐｌａｙ＿Ｓｏｕｎｄ３２４」、「ＬＥＤ＿ａｌｌ＿Ｆｌａｓｈ」、「Ｄｉｓｐｌａｙ＿Ｉｍａｇｅ」、「Ｐｌａｙ＿Ｃｏｍｍａｎｄ２−１」を実施した旨を通知してもよい。
【０１０３】
図７Ｂは、視聴実績または演出動作実績を通知した結果、取得部１２０３が受信したコマンド情報の別の一例である。図７Ａと異なる点は、５つめのコマンドが「Ｐｌａｙ＿Ｃｏｍｍａｎｄ１」から「Ｐｌａｙ＿Ｃｏｍｍａｎｄ１００」に、付加データが、「ｈｔｔｐｓ：／／ｐａｎａｓｏｎｉｃ．ｊｐ／ａｃｔｉｏｎ１．ｚｉｐ」から「ｈｔｔｐｓ：／／ｐａｎａｓｏｎｉｃ．ｊｐ／ａｃｔｉｏｎ１００．ｚｉｐ」に変更され、８つめのコマンド「Ｐｌａｙ＿ｃｏｍｍａｎｄ４」、付加データ「ｈｔｔｐｓ：／／ｐａｎａｓｏｎｉｃ．ｊｐ／ａｃｔｉｏｎ４．ｐｒｏｆ」が新に追加されている。
【０１０４】
以上のように、中継装置１２００は、視聴状態判定部の判定結果を視聴実績として管理する管理部をさらに備え、取得部は、視聴実績に応じて、取得するコマンド情報と付加データが変更される。
【０１０５】
また、中継装置１２００は、演出装置から番組に関連する演出動作実績を受信し、演出動作実績として管理する管理部をさらに備え、取得部は、演出動作実績に応じて、取得するコマンド情報と付加データが変更される。
【０１０６】
これにより視聴実績または演出動作実績に連動して演出装置１３００の演出動作を実現でき、ユーザの継続的な番組視聴を促進できる。
【０１０７】
また、本実施の形態において、配信装置１０００が配信する番組は放送波で送信していたが、ビデオオンデマンド（以下ＶＯＤ）で配信してもよい。図１０は、実施の形態１にかかる別の連動システム全体の構成図である。連動システム２００は、連動システム１００に対して、配信装置２０００と受信装置２１００が異なる。配信装置２０００は、配信装置１０００に対して、番組配信部２００１が異なる。受信装置２１００は、受信装置１１００に対して、受信部２１０１が異なる。番組配信部２００１は、ＶＯＤで番組を配信する。受信部２１０１は、番組コンテンツ１０１１をＶＯＤで受信する。図１１は、実施の形態１にかかる別の受信装置の動作を説明するフローチャート、すなわちＶＯＤで番組が配信される場合のフローチャートである。
【０１０８】
図３の受信装置１１００の動作を説明するフローチャートと異なる点を中心に説明する。
【０１０９】
（Ｓ１１００１）受信装置２１００は、まずＨＴＭＬブラウザを起動する。ＨＴＭＬブラウザは受信部２１０１を経由して配信装置２０００の番組配信部２００１からＶＯＤのメニューページとなるＨＴＭＬを取得し、ユーザ操作により再生画面用のＨＴＭＬを取得してＶＯＤの再生を開始する。番組コンテンツ１０１１の受信以降の動作は、Ｓ３００１〜Ｓ３００３であり、受信装置１１００と同様である。
【０１１０】
（Ｓ１１００２）受信装置２１００は、受信部２１０１で配信装置２０００の番組配信部２００１から関連コンテンツ１０１２を受信する。
【０１１１】
（Ｓ１１００３）起動したＨＴＭＬブラウザに関連コンテンツ１０１２を表示する。以降の動作は、Ｓ３００７〜Ｓ３００８であり、受信装置１１００と同様である。
【０１１２】
さらに、配信装置１０００が配信する番組は放送波で送信、配信装置２０００が配信する番組はＶＯＤで配信していたが、配信装置は、両方の配信機能を備えていてもよい。
【０１１３】
さらに、中継装置１２００に演出装置１３００が接続されていない場合に、中継装置１２００自身がコマンド情報１０１３と付加データ１０１４を用いて演出動作を行ってもよい。これにより、演出装置１３００を持たないユーザであっても、番組に連動した演出動作を擬似的に体験することができ、さらに演出装置の購買意欲を向上させることができる。
【０１１４】
なお、中継装置１２００に蓄積したコマンド情報１０１３及び付加データ１０１４を、番組視聴中だけでなく、番組視聴後にも演出装置１３００に対して演出動作を行うことができるようにしてもよい。この場合、番組視聴実績があった場合に限って、演出装置１３００に対して、演出動作を可能にするとしてもよい。
【０１１５】
また、実施の形態１では、視聴番組の特定と中継装置１２００への通知の一例として受信装置１１００の視聴状態通知部１１０５が視聴中番組を特定して中継装置１２００の視聴状態判定部１２０１にＩＰ通信によって通知する手段を説明した。しかし、視聴状態通知部１１０５と視聴状態判定部１２０１はこれに限定されない。例えば、音声出力部１１０４の出力から音声認識技術を用いて視聴している番組を特定してもよい。具体的には、番組コンテンツ１０１１の音声データの所定の周波数帯に特定の音源を挿入することで、音声指紋を重畳させて、エンコードしておき、視聴状態判定部１２０１は、音声出力部１１０４から出力される音声を音声認識することにより、音声に重畳された番組情報として認識できる。さらに、番組コンテンツ１０１１に付帯する関連コンテンツ１０１２としてＢＭＬを用意し、そのＢＭＬで映像画面に番組を識別するための二次元バーコードを表示させて、映像出力部１１０３から出力される映像をカメラ等でから映像認識し、映像に重畳された番組情報を認識できる。
【０１１６】
以上のように、本実施の形態において、中継装置は、視聴状態判定部の判定は、受信装置から出力される番組情報を受信することによる判定、受信装置から出力される音声による判定、受信装置から出力される映像による判定のうち少なくとも１つである。
【０１１７】
これにより、中継装置における、受信装置の番組の視聴状態の判定ができる。
【０１１８】
なお、実施の形態１では、視聴実績と演出動作実績は別で管理したが、まとめて管理してもよい。
【０１１９】
（実施の形態２）
以下、図１２〜図１８を用いて、実施の形態２について説明する。
【０１２０】
本実施の形態は、実施の形態１と比べて、視聴実績および演出動作実績を配信装置で管理する点、視聴実績および演出動作実績をユーザ毎にマイル化して蓄積し、蓄積したマイルを利用し、特典として番組コンテンツ配信事業者および演出装置製造メーカから各種サービスを得る点で異なる。本実施の形態における説明は主として、実施の形態１と異なる点を説明する。
【０１２１】
［２−１．構成］
図１２は、実施の形態２にかかる連動システム全体の構成図である。
【０１２２】
連動システム３００は、配信装置３０００と受信装置３１００と中継装置３２００と演出装置１３００で構成される。
【０１２３】
配信装置３０００は、番組配信部１００１とコマンド配信部１００２と、付加データ配信部１００３と認証部３００１と視聴状態管理部３００２と実績管理部３００３と特典配信部３００４で構成される。
【０１２４】
番組配信部１００１とコマンド配信部１００２と付加データ配信部１００３は実施の形態１と同じ構成である。
【０１２５】
認証部３００１は、配信装置３０００において、ユーザ毎に視聴状態の管理や視聴実績および演出動作実績を管理するために、ユーザＩＤとパスワードの管理及び認証を行う。
【０１２６】
視聴状態管理部３００２は、受信装置３１００が受信している番組コンテンツ１０１１を視聴中であるか否かを管理するため、受信装置１１００から番組情報を受け取る。
【０１２７】
実績管理部３００３は、受信装置３１００から受け取った番組情報から視聴実績を管理する。さらに、実績管理部３００３は、中継装置３２００から演出装置１３００が演出動作した演出動作実績を受け取り、演出動作実績を管理する。
【０１２８】
特典配信部３００４は、中継装置３２００から、保有している視聴実績と演出動作実績で利用可能な特典の取得指示を受けて、特典データ３０１５を中継装置３２００へ送付する。特典データ３０１５とは、演出装置１３００の演出動作を追加で実施可能な追加アイテムとしてのコマンドや番組に連動したゲームアプリや、番組に関連する商品を購入できるクーポン券や番組に関連する玩具の購入券等である。
【０１２９】
視聴状態管理部３００２と実績管理部３００３と特典配信部３００４は認証部３００１を介して中継装置３２００と接続される、すなわち、ユーザ認証後に接続可能となる。
【０１３０】
受信装置３１００は、例えばＴＶ受信機である。受信装置３１００は、受信部１１０１とデコード部１１０２と映像出力部１１０３と音声出力部１１０４と視聴状態通知部３１０５で構成される。
【０１３１】
受信部１１０１とデコード部１１０２と映像出力部１１０３と音声出力部１１０４は、実施の形態１と同じ構成である。
【０１３２】
視聴状態通知部３１０５は、受信部１１０１で受信した関連コンテンツ１０１２を読み込み、関連コンテンツ１０１２に記載されている番組情報を取得して配信装置３０００へ送信する。本実施の形態においては、関連コンテンツ１０１２はＨＴＭＬ形式で記述されているコンテンツとし、視聴状態通知部３１０５はＨＴＭＬブラウザとし、受信装置３１００と配信装置３０００はＩＰ通信で接続するものとして説明する。
【０１３３】
中継装置３２００は、例えばスマートフォンやタブレット端末などである。中継装置３２００は、視聴状態判定部３２０１と取得部３２０３と蓄積部１２０４と連動制御部１２０５と接続部３２０６とＩ／Ｆ（インターフェース：ＩｎｔｅｒＦａｃｅ）部３２０８と特典制御部３２０９で構成される。
【０１３４】
蓄積部１２０４と連動制御部１２０５は、実施の形態１と同じ構成である。
【０１３５】
視聴状態判定部３２０１は、配信装置３０００の認証部３００１を介して視聴状態管理部３００２へ受信装置３１００の視聴状態を問い合わせ、番組情報を受信し、受信した番組情報から視聴状態を判定する。判定結果を取得部３２０３へ出力する。
【０１３６】
Ｉ／Ｆ部３２０８は、取得部３２０３が各種処理の実行結果として出力する文字や画像を表示する機能を備える。表示する機能としては、例えば液晶モニタや有機ＥＬモニタで構成される。Ｉ／Ｆ部３２０８は、さらにユーザの操作を受け付けて、その操作信号を取得部３２０３に伝達する機能も備える。ユーザの操作を受け付ける機能としては、ボタン、タッチパネル等で構成される。本実施の形態において、Ｉ／Ｆ部３２０８は、配信装置３０００で管理されている視聴実績と演出動作実績を取得する指示や取得した結果の表示や、視聴実績と演出動作実績からマイル取得の指示を行い、その結果の表示を行う。
【０１３７】
取得部３２０３は、視聴状態の判定結果に基づいて、視聴中の番組に対して演出装置１３００の連動動作に必要なコマンド情報１０１３及び付加データ１０１４を、それぞれ配信装置３０００のコマンド配信部１００２と付加データ配信部１００３から受信する。
【０１３８】
さらに取得部３２０３は、接続部３２０６から受け取った演出動作実績を配信装置３０００の実績管理部３００３へ認証部３００１を介して送付する。
【０１３９】
また取得部３２０３は、Ｉ／Ｆ部３２０８からの実績取得指示により、実績管理部３００３で管理されている視聴実績と演出動作実績を取得し、Ｉ／Ｆ部３２０８へ取得結果を返信し、Ｉ／Ｆ部３２０８からのマイル取得指示により、実績管理部３００３で管理されているマイルを取得し、Ｉ／Ｆ部３２０８とへ取得結果を返信する。
【０１４０】
さらに取得部３２０３は、取得したマイルに基づいて、特典配信部３００４から特典データ３０１５を取得し、特典制御部３２０９へ伝える。
【０１４１】
特典制御部３２０９は、受け取った特典データ３０１５を実行するための制御を行う。
【０１４２】
蓄積部１２０４は、受信したコマンド情報１０１３と付加データ１０１４を蓄積する。
【０１４３】
連動制御部１２０５は、演出装置１３００の連動動作の実行を制御し、演出装置１３００へ連動動作のためのコマンドを発行する。
【０１４４】
接続部３２０６は、演出装置１３００と接続を確立し、演出装置１３００の連動動作のためのコマンドと、コマンドに対応した付加データ１０１４の送信を行い、演出装置１３００から演出動作実績を受信する。ここで、中継装置３２００と演出装置１３００の通信手段は限定しない。例えばＢｌｕｅｔｏｏｔｈ（登録商標）やＷｉ−Ｆｉ（登録商標）のような無線通信方式で接続されてもよいし、ＵＳＢやシリアルバスケーブルによって有線接続されていてもよい。さらに、接続部３２０６は、演出装置１３００から受信した演出動作実績を取得部３２０３へ伝える。
【０１４５】
演出装置１３００は、実施の形態１と同じ構成である。
【０１４６】
［２−２．演出動作］
以上のように構成された連動システム３００について、その演出動作を以下に説明する。
【０１４７】
［２−２−１．連動システムの演出動作の全体のシーケンス］
図１３は、本実施の形態の連動システムの演出動作の全体のシーケンスを説明する図である。
【０１４８】
（Ｓ０１）配信装置３０００は、放送する番組コンテンツ１０１１、関連コンテンツ１０１２、コマンド情報１０１３、付加データ１０１４を準備し、配信を開始する。例えば、番組コンテンツ１０１１は、放送サーバから放送波で配信する。関連コンテンツ１０１２は、ＨＴＭＬ形式で記載されているコンテンツであるので、ＷＥＢサーバからＩＰ通信で配信する。それぞれの配信は番組配信部１００１で行う。また、コマンド情報１０１３と付加データ１０１４はＷＥＢサーバに準備する。
【０１４９】
（Ｓ０２）受信装置３１００は、配信装置３０００が配信する番組コンテンツ１０１１を受信部１１０１で受信する。
【０１５０】
（Ｓ０３）受信した番組コンテンツ１０１１はデコード部１１０２でデコードし、映像データと音声データとして出力する。映像データは映像出力部１１０３に出力する。音声データは音声出力部１１０４に出力する。
【０１５１】
（Ｓ０４）受信装置３１００は、番組コンテンツ１０１１の受信と同時に、配信装置３０００が配信する関連コンテンツ１０１２を受信する。
【０１５２】
（Ｓ０５）受信した関連コンテンツ１０１２は、ＨＴＭＬブラウザを利用して表示する。
【０１５３】
（Ｓ３１）番組コンテンツ１０１１と関連コンテンツ１０１２を受信すると、受信装置３１００の視聴状態通知部３１０５は、配信装置３０００の認証部３００１へあらかじめ登録されているユーザＩＤとパスワードで認証する。登録されていない場合は、認証部３００１へユーザＩＤとパスワードの取得を行う。
【０１５４】
（Ｓ３２）視聴状態通知部３１０５は、配信装置３０００の視聴状態管理部３００２へ番組情報を通知する。番組情報の通知は、番組視聴中、すなわち、番組コンテンツ１０１１と関連コンテンツ１０１２を受信している間は、所定のタイミングで定期的に通知する。
【０１５５】
（Ｓ３３）配信装置３０００の視聴状態管理部３００２は、ユーザＩＤ毎に番組情報を管理しており、番組情報が通知される毎に受信した番組情報を管理する。例えば、番組情報は、図４Ａの番組情報の一例であり、実施の形態１と同様である。
【０１５６】
（Ｓ３４）中継装置３２００の視聴状態判定部３２０１は、配信装置３０００の認証部３００１へあらかじめ登録されているユーザＩＤとパスワードで認証する。ここで用いるユーザＩＤとパスワードは、受信装置３１００の視聴状態通知部３１０５で用いたユーザＩＤとパスワードと同じものである。登録されていない場合は、認証部３００１へユーザＩＤとパスワードの取得を行う。認証部３００１の認証完了後、視聴状態管理部３００２へ番組情報の受信要求を行う。番組情報の受信要求は、番組の視聴が終了するまで、所定のタイミングで定期的に要求する。
【０１５７】
（Ｓ３５）中継装置３２００の視聴状態判定部３２０１は、番組情報の通知を配信装置３０００の視聴状態管理部３００２から受信すると、視聴している番組が何であるか、その番組に対応する連動動作があるかどうかを判定する。
【０１５８】
（Ｓ０８）取得部３２０３は、視聴状態判定部３２０１の判定結果が、連動動作があると判断した場合は、配信装置３０００へ、視聴中の番組を特定するため、番組情報を通知する。
【０１５９】
（Ｓ０９）配信装置３０００のコマンド配信部１００２は、取得部３２０３へコマンド情報１０１３を送付する。
【０１６０】
（Ｓ１０）また、配信装置３０００の付加データ配信部１００３は、取得部３２０３へ付加データ１０１４を送付する。
【０１６１】
（Ｓ１１）次に中継装置３２００は、受信したコマンド情報１０１３から接続可能な演出装置１３００を特定し、演出装置１３００を検索し、接続する。
【０１６２】
（Ｓ１２）演出装置１３００との接続が完了すると、演出装置１３００へ送付するコマンドを、コマンド情報１０１３から取得し、コマンド実行時間にコマンドを実行できるようにタイマ設定等を行う。
【０１６３】
（Ｓ１３）実行時間が近づくと、演出装置１３００に対してコマンドと対応する付加データ１０１４を、接続部３２０６から発行する。
【０１６４】
（Ｓ１４）演出装置１３００の接続部１３０１は、中継装置３２００からコマンドと付加データ１０１４を受信すると、コマンド制御部１３０２は、そのコマンドを実行する。
【０１６５】
（Ｓ１５）コマンドを実行した実績である演出動作実績の通知を接続部１３０１から中継装置３２００に送付する。
【０１６６】
（Ｓ３６）中継装置３２００の接続部３２０６は、演出装置１３００の接続部１３０１から受信した演出動作実績を取得部３２０３へ送る。取得部３２０３は、受け取った演出動作実績を配信装置３０００の実績管理部３００３へ認証部３００１を介して送付する。
【０１６７】
（Ｓ３７）演出動作実績を受信した配信装置３０００の実績管理部３００３は、その実績を管理する。
【０１６８】
なお、中継装置３２００の視聴状態判定部３２０１は、配信装置３０００の視聴状態管理部３００２から通知される情報が所定時間届かずタイムアウトすると、演出装置１３００で実行しているコマンドの設定を解除する。
【０１６９】
次に受信装置３１００、中継装置３２００におけるそれぞれの動作の詳細を説明する。演出装置１３００における動作の詳細は、実施の形態１と同じであるので説明を省略する。
【０１７０】
［２−２−２．受信装置の演出動作］
図１４は、受信装置３１００の演出動作を説明するフローチャートである。
【０１７１】
（Ｓ３００１）受信装置３１００は、受信部１１０１で配信装置３０００の番組配信部１００１から番組コンテンツ１０１１を受信する。
【０１７２】
（Ｓ３００２）受信した番組コンテンツ１０１１をデコード部１１０２でデコードして、映像データと音声データを得る。
【０１７３】
（Ｓ３００３）映像データは、映像出力部１１０３から出力する。音声データは音声出力部１１０４から出力する。
【０１７４】
（Ｓ３００４）受信装置３１００は、受信部１１０１で配信装置３０００の番組配信部１００１から関連コンテンツ１０１２を受信する。
【０１７５】
（Ｓ３００５）受信した関連コンテンツ１０１２はＨＴＭＬ形式で記載されているコンテンツであるので、ＨＴＭＬブラウザを起動する。
【０１７６】
（Ｓ３００６）起動したＨＴＭＬブラウザに関連コンテンツ１０１２を表示する。
【０１７７】
（Ｓ１４００８）関連コンテンツ１０１２は、ＨＴＭＬ形式で記載されているコンテンツであり、受信している番組の番組情報を配信装置３０００へ送付するためのスクリプトがプログラミングされている。このスクリプトに従って、受信装置３１００の視聴状態通知部３１０５は、配信装置３０００の認証部３００１と接続を確立する。接続の確立後、視聴状態通知部３１０５は、配信装置３０００の認証部３００１へあらかじめ登録されているユーザＩＤとパスワードで認証する。登録されていない場合は、認証部３００１へユーザＩＤとパスワードの取得を行う。さらに、このスクリプトに従って、視聴状態通知部３１０５は、配信装置３０００の視聴状態管理部３００２へ番組情報を通知する。番組情報の通知は、番組視聴中、すなわち、番組コンテンツ１０１１と関連コンテンツ１０１２を受信している間は、所定のタイミングで定期的に通知する。番組情報に関する説明は、実施の形態１で図４Ａを用いて説明した内容と同様であるので省略する。
【０１７８】
Ｓ３００１からＳ３００６とＳ１４００８の動作は番組の視聴開始から視聴終了まで繰り返し実施される。
【０１７９】
［２−２−３．中継装置の演出動作］
次に、中継装置３２００の動作を説明する。図１５は、中継装置３２００の動作を説明するフローチャートである。ここでは、視聴中の番組において、演出装置１３００の連動動作がある、として説明を行う。
【０１８０】
（Ｓ５００２）中継装置３２００の視聴状態判定部３２０１は、番組情報を受信すると、受信した番組情報が、現在視聴中の番組の視聴を開始してから初めての通知か否かを判定する。初めての通知である場合（ＹＥＳ）、Ｓ１５００３へ進み、初めての通知でない場合（ＮＯ）、次の番組情報の受信を待つ。
【０１８１】
（Ｓ１５００３）視聴状態判定部３２０１は、番組情報を取得部３２０３へ通知する。取得部３２０３は、配信装置３０００のコマンド配信部１００２へ番組ＩＤとエピソードＩＤを通知し、コマンド情報１０１３の取得要求を行う。
【０１８２】
（Ｓ５００４）コマンド配信部１００２は通知を受けた番組ＩＤとエピソードＩＤから対応するコマンド情報１０１３を送信し、取得部３２０３はこのコマンド情報１０１３を受信する。
【０１８３】
コマンド情報１０１３に関する説明は、実施の形態１で図７Ａを用いて説明した内容と同様であるので省略する。
【０１８４】
受信したコマンド情報１０１３は、連動制御部１２０５へ通知する。
【０１８５】
（Ｓ５００５）取得部３２０３は、受信したコマンド情報１０１３に付加データ１０１４のＵＲＬがある否かを判定する。付加データ１０１４のＵＲＬがある場合（ＹＥＳ）は、Ｓ５００６へ進み、付加データ１０１４のＵＲＬがない場合（ＮＯ）は、Ｓ５００７へ進む。図７Ａのコマンド情報の一例では、付加データのＵＲＬは存在するので、Ｓ５００７へ進む。
【０１８６】
（Ｓ５００６）取得部３２０３は、付加データ配信部１００３から付加データ１０１４を取得する。図７Ａのコマンド情報の一例では、「Ｏｐｅｎｉｎｇ．ｍｐ３」、「Ｉｍａｇｅ２２３３．ｊｐｇ」、「Ｓｏｕｎｄ．ａａｃ」、「Ａｃｔｉｏｎ１．ｚｉｐ」、「Ａｃｔｉｏｎ３２．ｐｒｏｆ」、「Ａｃｔｉｏｎ３２Ａｄｄ．ｚｉｐ」の６つである。取得した付加データ１０１４は蓄積部１２０４に格納するとともに連動制御部１２０５に通知する。
【０１８７】
（Ｓ５００７）連動制御部１２０５は、コマンド情報１０１３にタイマの設定が必要なコマンドが存在するか否かを判断する。具体的には、コマンド情報１０１３のコマンドのうち、実行開始時間が現在の時刻以降に実行開始するコマンドが存在するか否かを判断する。図７Ａのコマンド情報の一例では、１つめ、２つめのコマンドは、タイマ設定が不要で、３つめ以降のコマンド５つは、タイマ設定が必要である。タイマ設定が不要な場合（ＮＯ）は、Ｓ５００９へ進み、タイマ設定が必要な場合（ＹＥＳ）は、Ｓ５００８へ進む。連動制御部１２０５は、タイマ設定が不要な場合、接続部１２０６へコマンド情報１０１３、付加データ１０１４と番組情報を送付する。
【０１８８】
（Ｓ５００８）連動制御部１２０５は、タイマ設定が必要なコマンドに対して、実行開始時間になるまでの時間を時間管理し、実行開始時間に到達すると、接続部３２０６へコマンド情報１０１３、付加データ１０１４と番組情報を送付し、Ｓ５００９へ進む。
【０１８９】
（Ｓ５００９）接続部３２０６は、接続すべき演出装置１３００と接続を行う。接続には、番組情報に含まれる、演出ＩＤと演出装置１３００を接続するための通信方式を用いる。図４Ａの番組情報の一例では、演出ＩＤが「ＴｒａｎｓｆｏｒｍＳｗｏｒｄ」で、通信方式は、「Ｂｌｕｅｔｏｏｔｈ（登録商標）」で、さら接続プロフェイルは「ＧＥＯＰ」であるので、接続部１２０６は、Ｂｌｕｅｔｏｏｔｈ（登録商標）の接続プロファイルＧＥＯＰを用いて、「ＴｒａｎｓｆｏｒｍＳｗｏｒｄ」である演出装置１３００と接続する。
【０１９０】
（Ｓ５０１０）接続部３２０６は、演出装置１３００と接続が確立すると、コマンド情報１０１３と付加データ１０１４を演出装置１３００の接続部１３０１へ送信する。
【０１９１】
（Ｓ１５０１１）接続部３２０６は、演出装置１３００の接続部１３０１から送付したコマンドを実行した旨を示す演出動作実績を受け取ると、取得部３２０３へ送付する。取得部３２０３は、は配信装置３０００の実績管理部３００３へ認証部３００１を介して送付する。
【０１９２】
Ｓ５００２、Ｓ１５００３、Ｓ５００４からＳ５０１０とＳ１５０１１の動作は番組情報を受信している間は繰り返し実施される。
【０１９３】
（Ｓ５０１２）これまで視聴していた番組の番組情報の受信が所定時間届かなくなったら、演出装置１３００に対して、Ｓ５００８におけるタイマ設定中のコマンドが存在すれば、タイマ設定を解除し、コマンドの送付を停止する。さらに、演出装置１３００との接続も解除する。
【０１９４】
（Ｓ１５０１３）視聴状態判定部３２０１は、最後に受け取った番組情報を取得部３２０３へ通知する。取得部３２０３は、番組情報を配信装置３０００の実績管理部３００３へ認証部３００１を介して送付する。
【０１９５】
ここで、配信装置３０００の実績管理部３００３で管理されている視聴実績と演出動作実績について説明する。図１６Ａは、視聴実績と演出動作実績の一例を示す図である。ユーザＩＤごとに視聴実績と演出動作実績を管理している。視聴実績と演出動作実績はまとめて管理されている。視聴実績は、視聴時間や視聴回数ではなく、所定の計算式で視聴時間や視聴回数を数値化してマイルとして計上されている。演出動作実績は、実行したコマンドではなく、所定の計算式で実行したコマンドを数値化してマイルとして計上されている。さらに、番組ＩＤと演出ＩＤだけでなく、番組コンテンツを制作した番組コンテンツ配信事業者を特定する事業者ＩＤと演出装置を製作した演出装置メーカを特定するメーカＩＤも合わせて管理されている。さらに、マイルを使用していれば使用済みのマイル数も合わせて管理されている。
【０１９６】
図１６Ａの視聴実績と演出動作実績の一例として、マイルの計算式を、視聴時間1分を１マイルとし、コマンド１つの実行で１０マイルとした例である。順に、事業者ＩＤが「ＸＸＸ」、番組ＩＤが「３４１２」、演出ＩＤが「ＴｒａｎｓｆｏｒｍＳｗｏｒｄ」、メーカＩＤ「ＡＡＡ」、視聴実績マイル「３０」、演出動作実績マイル「２０」、合計マイル「５０」、使用済マイル「０」と、事業者ＩＤが「ＹＹＹ」、番組ＩＤが「３９５９」、演出ＩＤが「Ｗｅａｐｏｎ」、メーカＩＤ「ＢＢＢ」、視聴実績マイル「４５」、演出動作実績マイル「３０」、合計マイル「７５」、使用済マイル「０」と、事業者ＩＤ「ＸＸＸ」、番組ＩＤ「３５７９」、演出ＩＤ「ｍｉｒｒｏｒ」、メーカＩＤ「ＣＣＣ」、視聴実績マイル「６０」、演出動作実績マイル「３０」、合計マイル「９０」、使用済マイル「０」と、事業者ＩＤ「ＺＺＺ」、番組ＩＤ「８６４２」、演出ＩＤ「ｂｒａｃｅｌｅｔ」、メーカＩＤ「ＡＡＡ」、視聴実績マイル「４０」、演出動作実績「１５」、合計マイル「５５」、使用済マイル「０」である。
【０１９７】
［２−２−４．演出装置の演出動作］
演出装置１３００の演出動作は、実施の形態１と同じであるので、説明を省略する。
【０１９８】
［２−２−５．特典取得動作］
次に視聴実績と演出動作実績により貯めたマイルを利用して特典を取得する動作を説明する。
【０１９９】
まず、図１６Ａの視聴実績と演出動作実績の一例を用いて、保有マイルと特典の関係を説明する。特典の対象としては、番組に対する特典、番組コンテンツ配信事業者に対する特典、演出装置メーカに対する特典がある。
【０２００】
図１６Ａにおいて、番組としては、番組ＩＤ「３４１２」、「３９５９」、「３５７９」、「８６４２」の４つの番組が管理されている。従って、特典としては４つの番組ごとに特典を取得できる。番組コンテンツ配信事業者としては、事業者ＩＤ「ＸＸＸ」、「ＹＹＹ」、「ＺＺＺ」の３つの番組コンテンツ配信事業者が管理されている。事業者ＩＤ「ＸＸＸ」は、番組として「３４１２」、「３５７９」の２番組が存在するので、それぞれの保有マイル、５０と９０を合計して、対象マイルを１４０マイルとし、事業者ＩＤ「ＸＸＸ」としての特典を取得できる。また、演出装置メーカとしては、メーカＩＤ「ＡＡＡ」「ＢＢＢ」「ＣＣＣ」の３つのメーカが管理されている。メーカＩＤ「ＡＡＡ」は、番組として「３４１２」、「８６４２」の２番組が存在するので、それぞれの保有マイル、５０と５５を合計して対象マイルを１０５とし、メーカＩＤ「ＡＡＡ」としての特典を取得できる。
【０２０１】
図１７は、特典取得のシーケンスを説明する図である。図１８は、中継装置３２００における特典取得のユーザインタフェースを説明する図である。図１８において、Ｗ１、Ｗ２、Ｗ３−１、Ｗ３−２、Ｗ４−１、Ｗ４−２、Ｗ５−１、Ｗ５−２はそれぞれＩ／Ｆ部３２０８に含まれるタッチパネル等の表示画面を示している。図１７と図１８を用いて、特典を取得する動作を説明する。
【０２０２】
（Ｓ１７０１）ユーザは、中継装置３２００のＩ／Ｆ部３２０８から保有しているマイルを確認するための操作を行う。具体的には、表示画面Ｗ１の「マイルを確認する」を選択する操作を行う。保有マイルの確認指示を受けた取得部３２０３は、配信装置３０００へ保有マイルの確認要求指示を行う。
【０２０３】
（Ｓ１７０２）保有マイル確認要求指示を受けた配信装置３０００の実績管理部３００３は、要求を受けたユーザのユーザＩＤの視聴実績と演出動作実績を特典配信部３００４に渡す。視聴実績と演出動作実績を受けた特典配信部３００４は、取得可能な特典をリストアップし、中継装置３２００へ送付し、保有マイル確認要求に応答する。
【０２０４】
（Ｓ１７０３）保有マイル確認要求の応答が届いた取得部３２０３は、Ｉ／Ｆ部３２０８に応答内容の表示の指示を行う。Ｉ／Ｆ部３２０８は、保有マイルと保有マイルに対する特典選択のための表示を行う。表示画面Ｗ２は取得する特典の対象を選択する画面である。対象として「番組」、「事業者」、「メーカ」が選択可能に表示され、ユーザはいずれか１つを選択する。「番組」を選択すると、表示画面Ｗ３−１に切り替わり、「事業者」を選択すると、表示画面Ｗ４−１に切り替わり、「メーカ」を選択すると、表示画面Ｗ５−１に切り替わる。
【０２０５】
表示画面Ｗ３−１は、番組ごとに使用可能なマイルを表示した画面であり、具体的には、番組ＩＤ「３４１２」は５０マイル、番組ＩＤ「３９５９」は７５マイル、番組ＩＤ「３５７９」は９０マイル、番組ＩＤ「８６４２」は５５マイル使用可能である。使用可能マイルの右横に特典を取得したい番組を選択するための「使う」と表示された領域が存在し、選択可能に表示されている。
【０２０６】
表示画面Ｗ４−１は、番組コンテンツ配信事業者ごとに使用可能なマイルを表示した画面であり、具体的には、事業者ＩＤ「ＸＸＸ」は１４０マイル、事業者ＩＤ「ＹＹＹ」は７５マイル、事業者ＩＤ「ＺＺＺ」は５５マイル使用可能である。使用可能マイルの右横に特典を取得したい番組を選択するための「使う」と表示された領域が存在し、選択可能に表示されている。
【０２０７】
表示画面Ｗ５−１は、演出装置メーカごとに使用可能なマイルを表示した画面であり、具体的には、メーカＩＤ「ＡＡＡ」は１０５マイル、メーカＩＤ「ＢＢＢ」は７５マイル、メーカＩＤ「ＣＣＣ」は９０マイル使用可能である。使用可能マイルの右横に特典を取得したい番組を選択するための「使う」と表示された領域が存在し、選択可能に表示されている。
【０２０８】
表示画面Ｗ３−１において、番組ＩＤ「３９５９」を選択すると、表示画面Ｗ３−２に切り替わる。表示画面Ｗ３−２は番組ＩＤ「３９５９」において取得可能な特典と、特典取得に必要なマイル数と、保有マイルに対して取得可能な特典がどれであるかわかるように表示される。具体的には、特典として「追加アイテム」には２０マイル必要で、取得可能であることを示すための「使う」と表示された領域が存在し、選択可能に表示されている。さらに、特典として「ゲーム」には５０マイル必要で取得可能であり、続いて、特典として「割引クーポン」には１００マイル必要で、取得できないことを示すための「使えない」と表示された領域が存在し、選択できないように表示されている。表示画面Ｗ３−２では、特典「ゲーム」を選択している。
【０２０９】
表示画面Ｗ４−１において、事業者ＩＤ「ＹＹＹ」を選択すると、表示画面Ｗ４−２に切り替わる。表示画面Ｗ４−２は事業者ＩＤ「ＹＹＹ」において取得可能な特典と特典取得に必要なマイル数と保有マイルに対して取得可能な特典がどれであるかわかるように表示される。具体的には、特典として「カレンダー」には５０マイル必要で、取得可能であることを示すための「使う」と表示された領域が存在し、選択可能に表示されている。さらに、特典として「ＶＯＤ視聴権」には１００マイル必要で、取得できないことを示すための「使えない」と表示された領域が存在し、選択できないように表示されている。表示画面Ｗ４−２では、特典「カレンダー」を選択している。
【０２１０】
表示画面Ｗ５−１において、メーカＩＤ「ＡＡＡ」を選択すると、表示画面Ｗ５−２に切り替わる。表示画面Ｗ５−２はメーカＩＤ「ＡＡＡ」において取得可能な特典と特典取得に必要なマイル数と保有マイルに対して取得可能な特典がどれであるかわかるように表示される。具体的には、特典として「貯金箱」には５０マイル必要で、取得可能であることを示すための「使う」と表示された領域が存在し、選択可能に表示されている。さらに、特典として「プラモデル（登録商標）」には１００マイル必要で取得できると表示され、続いて、特典として「新作玩具」には２０００マイル必要で、取得できないことを示すための「使えない」と表示された領域が存在し、選択できないように表示されている。表示画面Ｗ５−２では、特典「プラモデル（登録商標）」を選択している。
【０２１１】
Ｉ／Ｆ部３２０８は、選択した特典情報を取得部３２０３へ送る。
【０２１２】
（Ｓ１７０４）特典情報を受け取った取得部３２０３は、配信装置３０００へ特典取得要求を行う。
【０２１３】
（Ｓ１７０５）特典取得要求を受けた配信装置３０００の実績管理部３００３は、視聴実績と演出動作実績の使用済マイルを更新する。例えば、表示画面Ｗ５−２において、特典「プラモデル（登録商標）」を選択し、特典取得要求を行った場合を説明する。図１６Ｂは、視聴実績と演出動作実績の別の一例を示す図である。表示画面Ｗ５−２において、選択した特典「プラモデル（登録商標）」は１００マイル必要であるので、メーカＩＤ「ＡＡＡ」に対応する実績から１００マイルを使用済マイルとする更新を行う。図１６Ｂにおいて、メーカＩＤ「ＡＡＡ」に対応する番組ＩＤ「３４１２」から５０マイル、番組ＩＤ「８６４２」から５０マイルを使用済マイルとして更新する。
【０２１４】
（Ｓ１７０６）特典取得要求を受けた配信装置３０００の特典配信部３００４は、特典「プラモデル（登録商標）」に対応する特典データ３０１５を取り出す。
【０２１５】
（Ｓ１７０７）特典配信部３００４は、特典データ３０１５を中継装置３２００に送信する。
【０２１６】
（Ｓ１７０８）中継装置３２００の取得部３２０３は、受信した特典データ３０１５を特典制御部３２０９に送る。特典データ３０１５を受け取った特典制御部３２０９は、特典データ３０１５に基づいて特典に対する処理を実施する。
【０２１７】
［２−３．効果等］
以上のように、本実施の形態において、中継装置は、取得部は、視聴状態判定部の判定結果である視聴実績または演出装置から受信する番組に関連する演出動作実績に基づいて、特典を取得する。さらに、取得部が取得する特典は、番組に関連する特典と番組コンテンツを制作する事業者に関する特典と演出装置を製作するメーカに関する特典のうちの少なくとも１つである。
【０２１８】
これによりユーザに対して、番組の視聴の促進や演出装置の購買意欲をかき立てることができる。
【０２１９】
なお、本実施の形態において、視聴実績と演出動作実績は配信装置で管理するとしたが、中継装置で管理してもよい。
【産業上の利用可能性】
【０２２０】
本開示は、番組コンテンツの視聴実績に応じてインセンティブを与えながら演出装置を連動動作可能な中継装置、配信装置、連動システムに適用可能である。中継装置として、スマートフォン、携帯電話、タブレット端末、モバイルＰＣなどに、適用可能である。
【符号の説明】
【０２２１】
１００，２００，３００    連動システム
１０００，２０００，３０００    配信装置
１００１，２００１    番組配信部
１００２    コマンド配信部
１００３    付加データ配信部
１１００，２１００，３１００    受信装置
１１０１，２１０１    受信部
１１０２    デコード部
１１０３    映像出力部
１１０４    音声出力部
１１０５，３１０５    視聴状態通知部
１０１１    番組コンテンツ
１０１２    関連コンテンツ
１０１３    コマンド情報
１０１４    付加データ
１２００，３２００    中継装置
１２０１，３２０１    視聴状態判定部
１２０２    視聴実績管理部
１２０３，３２０３    取得部
１２０４，１３０３    蓄積部
１２０５    連動制御部
１２０６，１３０１，３２０６    接続部
１２０７    連動実績管理部
１３００    演出装置
１３０２    コマンド制御部
１３０４    音声出力部
１３０５    映像出力部
１３０６    ＬＥＤ
１３０７    モータ
３００１    認証部
３００２    視聴状態管理部
３００３    実績管理部
３００４    特典配信部
３０１５    特典データ
【手続補正２】
【補正対象書類名】特許請求の範囲
【補正対象項目名】全文
【補正方法】変更
【補正の内容】
【特許請求の範囲】
【請求項１】
受信装置の番組の視聴状態を判定する視聴状態判定部と、
演出装置の前記番組に関連する演出動作のための、コマンド情報と付加データを取得する取得部と、
前記視聴状態判定部の判定結果に基づいて、前記コマンド情報と前記付加データを前記演出装置に送信するか否かを決定する連動制御部と、を備える、
中継装置。
【請求項２】
前記連動制御部は、前記視聴状態判定部の判定結果が、番組を視聴中である場合に、前記コマンド情報と前記付加データを前記演出装置に送信する、
請求項１記載の中継装置。
【請求項３】
前記視聴状態判定部の判定は、前記受信装置から出力される番組情報を受信することによる判定、前記受信装置から出力される音声による判定、前記受信装置から出力される映像による判定のうち少なくとも１つである、
請求項１記載の中継装置。
【請求項４】
前記視聴状態判定部の判定結果を視聴実績として管理する管理部をさらに備え、
前記取得部は、前記視聴実績を送信し、前記視聴実績に応じて変更された前記コマンド情報と変更された前記付加データを取得する、
請求項１記載の中継装置。
【請求項５】
前記演出装置から前記番組に関連する演出動作実績を受信し、演出動作実績として管理する管理部をさらに備え、
前記取得部は、前記演出動作実績を送信し、前記演出動作実績に応じて変更された前記コマンド情報と変更された前記付加データを取得する、
請求項１記載の中継装置。
【請求項６】
前記取得部は、前記視聴状態判定部の判定結果である視聴実績または前記演出装置から受信する前記番組に関連する演出動作実績に基づいて、特典を取得する、
請求項１記載の中継装置。
【請求項７】
前記取得部が取得する特典は、前記番組に関連する特典と前記番組コンテンツを制作する事業者に関する特典と前記演出装置を製作するメーカに関する特典のうちの少なくとも１つである、
請求項６記載の中継装置。
【請求項８】
配信装置と受信装置と中継装置と演出装置とからなる連動システムであって、
前記配信装置は、
番組コンテンツを配信する番組配信部と、
前記番組コンテンツに関連する、前記演出装置の演出動作のためのコマンド情報を送信するコマンド配信部と、
前記コマンド情報に関連する付加データを配信する付加データ配信部と、を備え、
前記受信装置は、
前記番組コンテンツを受信する受信部と、
番組視聴状態を送信する視聴状態通知部と、を備え、
前記中継装置は、
前記受信装置の番組視聴状態を判定する視聴状態判定部と、
前記演出装置の前記番組に関連する演出動作のためのコマンド情報と付加データとを取得する取得部と、
前記視聴状態判定部の判定結果に基づいて、前記コマンド情報と前記付加データとを前記演出装置に送信するか否かを決定する連動制御部と、を備え、
前記演出装置は、
前記コマンド情報と前記付加データとを受信し、実行するコマンド制御部と、を備える、
連動システム。
【請求項９】
番組コンテンツを配信する番組配信部と、
前記番組コンテンツに関連するコマンド情報を送信するコマンド配信部と、
前記コマンド情報に含まれるコマンドに関連する付加データを配信する付加データ配信部と、を備え、
前記コマンド配信部は、中継装置から受信した受信装置の視聴実績または演出装置の前記番組コンテンツに関連する演出動作実績に基づいて、前記中継装置に送信する前記コマンド情報を変更する、
配信装置。
【請求項１０】
受信装置の番組視聴状態を判定し、
演出装置の前記番組に関連する演出動作のためのコマンド情報と付加データを取得し、
前記視聴状態の判定結果に基づいて、前記コマンド情報と前記付加データを演出装置に送信するか否かを決定する、
中継装置の処理方法。
【請求項１１】
受信装置の番組の視聴状態を判定すること、
演出装置の前記番組に関連する演出動作のためのコマンド情報と付加データを取得すること、
前記視聴状態の判定結果に基づいて、前記コマンド情報と前記付加データを演出装置に送信するか否かを決定すること、をコンピュータに実行させるためのプログラム。
【手続補正３】
【補正対象書類名】図面
【補正対象項目名】全図
【補正方法】変更
【補正の内容】
【図２】
2015083299.tif 000025
【図３】
2015083299.tif 000026
【図４Ａ】
2015083299.tif 000027
【図４Ｂ】
2015083299.tif 000028
【図５】
2015083299.tif 000029
【図６Ａ】
2015083299.tif 000030
【図６Ｂ】
2015083299.tif 000031
【図７Ａ】
2015083299.tif 000032
【図７Ｂ】
2015083299.tif 000033
【図８】
2015083299.tif 000034
【図９】
2015083299.tif 000035
【図１１】
2015083299.tif 000036
【図１３】
2015083299.tif 000037
【図１４】
2015083299.tif 000038
【図１５】
2015083299.tif 000039
【図１６Ａ】
2015083299.tif 000040
【図１６Ｂ】
2015083299.tif 000041
【図１７】
2015083299.tif 000042
【図１８】
2015083299.tif 000043
【図１】
2015083299.tif 000044
【図１０】
2015083299.tif 000045
【図１２】
2015083299.tif 000046
【国際調査報告】
2015083299.tif 000047
2015083299.tif 000048
2015083299.tif 000049
2015083299.tif 000050